(57)【要約】【課題】複数のメッセージ（例えば、手書きメッセージ）を含んだメッセージボードに関連付けて、動画等のデジタルコンテンツを相手方に提供できるコンテンツ管理システムを提供することにある。【解決手段】コンテンツ提供者２はそれぞれ、コンテンツ提供端末２０で、メッセージピースＭＰからコード３を読み取り、コード３でコンテンツ管理サーバ４０にアクセスし、コンテンツ４を登録する。コンテンツ視聴者６は、コンテンツ視聴端末３０で、複数のメッセージピースＭＰが貼付されたメッセージボードＭＢからコード７を読み取り、コード７でコンテンツ管理サーバ４０にアクセスし、複数のコンテンツ４を含むコンテンツ８を再生する。【選択図】図１
2018147201.tif 000002
【特許請求の範囲】
【請求項１】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信手段と、を備え、
１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理システム。
【請求項２】
前記第２コードは、第２媒体に対応付けられ、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御され、
前記第１媒体のそれぞれは、対応する前記第１ユーザによるメッセージの付加を可能とする領域を備えることを特徴とする、請求項１に記載のコンテンツ管理システム。
【請求項３】
複数の前記第１媒体と１つの前記第２媒体は１組の媒体セットとして構成され、
複数の前記第１媒体の少なくとも一部は、前記第１媒体を利用するそれぞれの前記第１ユーザによってメッセージが付加された後、前記第２媒体に保持された形で、又は前記第２媒体とともに、前記第２ユーザに提供されることを特徴とする、請求項２に記載のコンテンツ管理システム。
【請求項４】
前記コンテンツ管理サーバは、
第３ユーザが利用する第３ユーザ端末に、前記ネットワークを介して接続され、
前記第３ユーザの指示に基づく前記第３ユーザ端末からの要求に応じて、前記第２コンテンツの編集、及び前記第２コンテンツの再生に関する設定の少なくともいずれかを行うように制御するコンテンツ管理手段を備えることを特徴とする、請求項１に記載のコンテンツ管理システム。
【請求項５】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理手段と、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理システム。
【請求項６】
ユーザが利用するユーザ端末に、ネットワークを介して接続されるコンテンツ管理サーバを備えたコンテンツ管理システムであって、
前記コンテンツ管理サーバは、
前記ユーザの指示により、前記ユーザ端末から、第１コードに基づいて第１コンテンツが提供された場合に、前記第１コンテンツを記憶するコンテンツ記憶手段と、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信手段と、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられていることを特徴とする、コンテンツ管理システム。
【請求項７】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信ステップと、を備え、
１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理方法。
【請求項８】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理ステップと、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理方法。
【請求項９】
ユーザが利用するユーザ端末に、ネットワークを介して接続されるコンテンツ管理サーバで実行されるコンテンツ管理方法であって、
前記ユーザの指示により、前記ユーザ端末から、第１コードに基づいて第１コンテンツが提供された場合に、前記第１コンテンツをコンテンツ記憶手段に記憶するコンテンツ記憶ステップと、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信ステップと、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられていることを特徴とする、コンテンツ管理方法。
【請求項１０】
複数の第１媒体と、１つの第２媒体とを含む媒体セットであって、
前記第１媒体と前記第２媒体はそれぞれ物理的形状を有し、
前記第１媒体はそれぞれ異なる、又は同じ第１コードに対応付けられ、前記第２媒体は、第２コードに対応付けられ、
前記第１媒体はそれぞれ、少なくとも一部が、前記第１媒体を利用するそれぞれの第１ユーザによってメッセージが付加された後、前記第２媒体に保持された形で、又は前記第２媒体とともに、第２ユーザに提供され、
前記第１コードはそれぞれ、前記第１ユーザの指示により、第１ユーザ端末から、第１コンテンツをコンピュータに提供するために用いられ、
前記第２コードは、前記第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【請求項１１】
少なくとも複数の第１媒体を含む媒体セットであって、
前記第１媒体はそれぞれ物理的形状を有し、
前記第１媒体はそれぞれ異なる、又は同じ第１コードに対応付けられ、
前記第１媒体の１つ、又は第２媒体は、１つの第２コードに対応付けられ、
前記第１コードはそれぞれ、第１ユーザの指示により、第１ユーザ端末から、第１コンテンツをコンピュータに提供するために用いられ、
前記第２コードは、第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【請求項１２】
少なくとも第１媒体を含む媒体セットであって、
前記第１媒体は物理的形状を有し、
前記第１媒体は、それぞれ異なる複数の第１コードに対応付けられ、
前記第１媒体、又は第２媒体は、１つの第２コードに対応付けられ、
前記第１コードはそれぞれ、ユーザの指示により、ユーザ端末から、第１コンテンツをコンピュータに提供するために用いられ、
前記第２コードは、第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【発明の詳細な説明】
【技術分野】
【０００１】
この発明は、複数のコンテンツを、メッセージピースに対応付けられたコードに関連付けて管理するコンテンツ管理システムに関する。
【背景技術】
【０００２】
日本では、結婚、卒業、退職といった場面で、関係者がそれぞれメッセージを１つの色紙に寄せ書きし、相手にプレゼントするという習慣がある。このような、多くの人からの心のこもった手書き文字が「寄せ書き」された色紙等は、思い出に残る記念品となる。
【０００３】
一方、こうした寄せ書きを電子化しようという流れもある。特許文献１のコンテンツ作成配信支援方法では、複数のコンテンツを、全体のバランスを考慮しつつ、かつ効率よく作成し配信できるようにするため、代表者端末装置からコンテンツ作成配信依頼を受付けると、複数の参加者端末装置によるコンテンツの作成を支援し、作成されたコンテンツを被配信者端末装置に配信する。
【０００４】
ここで、コンテンツは複数のレイヤで管理され、参加者端末装置から、コンテンツ作成要求があったときに、その参加者に専用に割当てられたコンテンツ作成レイヤ上のコンテンツ情報と他のレイヤ上のコンテンツ情報との相対位置を参加者端末装置の間で制御する。
【０００５】
また、特許文献２の電子寄せ書き方法では、メッセージを書く人が、自分のメッセージを（色紙に）書いては次の人に渡していき、最後の人が書き終わったら、受け取る本人に贈り物としてその色紙を渡すという従来の流れを維持するために、タブレットコンピュータの画面にペンで直接、絵や文字を手書き入力させ、その入力された手書きデータをメッセージデータとしてコンピュータに取り込み、付与されたメッセージＩＤをメッセージデータと併せてメッセージ管理テーブルに登録する。その後、メッセージＩＤが指定された場合に、対応するメッセージデータをタブレットコンピュータの画面に描画する。
【先行技術文献】
【特許文献】
【０００６】
【特許文献１】特開２００３−０３０１８２号公報
【特許文献２】特開２００６−１２７０１３号公報
【発明の概要】
【発明が解決しようとする課題】
【０００７】
しかしながら、上記の従来技術では、いずれも寄せ書きのメッセージ等が電子化され、これらがデジタルデータとして保存されたうえで相手方に提示されることになり、従来の寄せ書きによる風情や情緒が失われている。
【０００８】
また、特許文献２では、タブレットコンピュータの画面にペンで手書き入力がされるものの、実際に紙媒体に手書きされた文字や絵とはタッチや雰囲気、相手方の受ける印象が大きく異なる。
【０００９】
従って、本発明の目的は、複数のメッセージ（例えば、手書きメッセージ）を含んだ、従来の寄せ書きに関連付けて、動画等のデジタルコンテンツを相手方に提供できるコンテンツ管理システムを提供することにある。
【００１０】
また、本発明の目的は、複数のコンテンツを所定のコードに対応付けて記憶し、こうして記憶された複数のコンテンツを、別のコードの読み取りに応じて再生するよう制御するコンテンツ管理システムを提供することにある。
【課題を解決するための手段】
【００１１】
本発明の第１の実施態様に係る発明は、下記の構成を有する。
第１ユーザ（例えば、コンテンツ提供者２）が利用する第１ユーザ端末（コンテンツ提供端末２０）と第２ユーザ（コンテンツ視聴者６）が利用する第２ユーザ端末（コンテンツ視聴端末３０）に、ネットワークを介して接続されるコンテンツ管理サーバ（例えば、コンテンツ管理サーバ４０）を備えたコンテンツ管理システム（例えば、図１のコンテンツ管理システム１、図１９のコンテンツ管理システム１００１、図２３のコンテンツ管理システム２００１の一形態（ＷＥＢ、ＳＮＳでの公開））であって、
前記コンテンツ管理サーバは、
前記第１ユーザの指示により、前記第１ユーザ端末から、複数の第１媒体（例えば、メッセージピースＭＰ）の１つに対応付けられた第１コード（例えば、コード３）に基づいて第１コンテンツ（例えば、コンテンツ４）が提供された場合に、前記第１コンテンツを記憶するコンテンツ記憶手段（例えば、コンテンツファイル記憶領域４６４）と、
前記第２ユーザの指示により、前記第２ユーザ端末から、第２コード（例えば、コード７）に基づいて視聴要求がされた場合に、前記第２コードに対応付けられた第２コンテンツ（例えば、コンテンツ８）を、再生のために前記第２ユーザ端末に送信するコンテンツ送信手段（例えば、コンテンツ再生管理部４５４）と、を備え、
１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理システム。
【００１２】
本発明のこのような構成によって、複数のコンテンツが第１媒体に対応付けられた所定のコードに基づいて記憶され、こうして記憶された複数のコンテンツが、第１媒体と関係する第２媒体に対応付けられた別のコードの読み取りに応じて再生されるため、複数のコンテンツ提供者からのコンテンツを第１媒体に結びつけて、コンテンツ視聴者に視聴させるようにすることができる。
【００１３】
本発明の第２の実施態様に係る発明は、第１の実施態様において下記の構成を有する。
前記第２コードは、第２媒体（例えば、メッセージボードＭＢ）に対応付けられ、
１つの前記第２媒体に対して複数の前記第１媒体が関連付けられており（例えば、市場では同じ包装体に入れられ、コンテンツ管理テーブル４６１では対応付けて管理されている）、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御され、
前記第１媒体のそれぞれは、対応する前記第１ユーザによるメッセージの付加（例えば、メッセージの記入）を可能とする領域（例えば、メッセージピースＭＰの記入部）を備えるように構成される。
【００１４】
本発明のこのような構成によって、第２コードが第２媒体に対応付けられているため、複数のコンテンツ提供者からのコンテンツを、第１媒体に付加されたメッセージに結びつけて、コンテンツ視聴者に視聴させるようにすることができる。
【００１５】
本発明の第３の実施態様に係る発明は、第２の実施態様において下記の構成を有する。
複数の前記第１媒体と１つの前記第２媒体は１組の媒体セット（例えば、メッセージセットＭＳ）として構成され、
複数の前記第１媒体の少なくとも一部（例えば、メッセージピースＭＰの記入部）は、前記第１媒体を利用するそれぞれの前記第１ユーザによってメッセージが付加された後、前記第２媒体に保持された形（例えば、メッセージボードＭＢに貼付された形）で、又は前記第２媒体とともに、前記第２ユーザに提供されるように構成される。
【００１６】
本発明のこのような構成によって、第１媒体に付加されたメッセージが第２媒体に保持された形でコンテンツ視聴者に提供され、当該第２媒体に対応付けられた第２コードにより、コンテンツ視聴者が、複数のコンテンツ提供者からのコンテンツを視聴できるようになるため、コンテンツ視聴者は、寄せ書きのイメージで複数のメッセージを受け取るとともに、当該メッセージに関連付けて、動画等のデジタルコンテンツを視聴することができる。
【００１７】
本発明の第４の実施態様に係る発明は、第１の実施態様において下記の構成を有する。
前記コンテンツ管理サーバは、
第３ユーザ（例えば、コンテンツ管理者１００５）が利用する第３ユーザ端末（コンテンツ管理端末１０５０）に、前記ネットワークを介して接続され、
前記第３ユーザの指示に基づく前記第３ユーザ端末からの要求に応じて、前記第２コンテンツの編集、及び前記第２コンテンツの再生に関する設定の少なくともいずれかを行うように制御するコンテンツ管理手段（例えば、コンテンツ再生管理部４５４）を備えるように構成される。
【００１８】
本発明のこのような構成によって、複数のコンテンツ提供者から登録されたコンテンツを、事前にチェック、編集等してからコンテンツ視聴者に視聴可能とするため、不適切なコンテンツ等を事前に編集・排除することができる。
【００１９】
本発明の第５の実施態様に係る発明は、下記の構成を有する。
第１ユーザ（例えば、コンテンツ提供者２００２）が利用する第１ユーザ端末（例えば、コンテンツ提供端末２０２０）と第２ユーザ（例えば、コンテンツ管理者２００５）が利用する第２ユーザ端末（例えば、コンテンツ管理端末２０５０）に、ネットワークを介して接続されるコンテンツ管理サーバ（例えば、コンテンツ管理サーバ２０４０）を備えたコンテンツ管理システム（例えば、図２３のコンテンツ管理システム２００１の一形態（場内スクリーン等への表示））であって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理手段と、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理システム。
【００２０】
本発明のこのような構成によって、複数のコンテンツが第１媒体に対応付けられた所定のコードに基づいて記憶され、こうして記憶された複数のコンテンツが、第１媒体と関係する別のコードの読み取りに応じてチェック、編集等がされるため、不適切なコンテンツ等を事前に編集・排除することができる。
【００２１】
本発明の第６の実施態様に係る発明は、下記の構成を有する。
ユーザ（コンテンツ提供者３００２）が利用するユーザ端末（コンテンツ提供端末３０２０）に、ネットワークを介して接続されるコンテンツ管理サーバ（コンテンツ管理サーバ３０４０）を備えたコンテンツ管理システム（例えば、図２４のコンテンツ管理システム３００１）であって、
前記コンテンツ管理サーバは、
前記ユーザの指示により、前記ユーザ端末から、第１コード（例えば、コード３００３）に基づいて第１コンテンツが提供された場合に、前記第１コンテンツを記憶するコンテンツ記憶手段と、
前記ユーザの指示により、前記ユーザ端末から、第２コード（例えば、コード３００７）に基づいてアクセスがされた場合に、前記ユーザ端末からの要求に応じて、前記第２コードに対応付けられた第２コンテンツを、再生のために前記ユーザ端末に送信するコンテンツ送信手段と、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体（例えば、メッセージセットＭＳ’’’）に対応付けられていることを特徴とする、コンテンツ管理システム。
【００２２】
本発明のこのような構成によって、複数のコンテンツが第１コードに基づいて記憶され、こうして記憶された複数のコンテンツが、第１コードと関係する別のコードの読み取りに応じて再生されるため、複数のコンテンツを所定の媒体に結びつけて、視聴させるようにすることができる。
【００２３】
本発明の第７の実施態様に係る発明は、下記の構成を有する。
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信ステップと、を備え、
１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理方法。
【００２４】
本発明の第８の実施態様に係る発明は、下記の構成を有する。
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理ステップと、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第１媒体のそれぞれは、対応する前記第１ユーザに個々に利用されることを特徴とする、コンテンツ管理方法。
【００２５】
本発明の第９の実施態様に係る発明は、下記の構成を有する。
ユーザが利用するユーザ端末に、ネットワークを介して接続されるコンテンツ管理サーバで実行されるコンテンツ管理方法であって、
前記ユーザの指示により、前記ユーザ端末から、第１コードに基づいて第１コンテンツが提供された場合に、前記第１コンテンツをコンテンツ記憶手段に記憶するコンテンツ記憶ステップと、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信ステップと、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられていることを特徴とする、コンテンツ管理方法。
【００２６】
本発明の第１０の実施態様に係る発明は、下記の構成を有する。
複数の第１媒体と、１つの第２媒体とを含む媒体セットであって、
前記第１媒体と前記第２媒体はそれぞれ物理的形状を有し、
前記第１媒体はそれぞれ異なる、又は同じ第１コードに対応付けられ、前記第２媒体は、第２コードに対応付けられ、
前記第１媒体はそれぞれ、少なくとも一部が、前記第１媒体を利用するそれぞれの第１ユーザによってメッセージが付加された後、前記第２媒体に保持された形で、又は前記第２媒体とともに、第２ユーザに提供され、
前記第１コードはそれぞれ、前記第１ユーザの指示により、第１ユーザ端末から、第１コンテンツをコンピュータに提供するために用いられ、
前記第２コードは、前記第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【００２７】
本発明の第１１の実施態様に係る発明は、下記の構成を有する。
少なくとも複数の第１媒体を含む媒体セットであって、
前記第１媒体はそれぞれ物理的形状を有し、
前記第１媒体はそれぞれ異なる、又は同じ第１コードに対応付けられ、
前記第１媒体の１つ、又は第２媒体は、１つの第２コードに対応付けられ、
前記第１コードはそれぞれ、第１ユーザの指示により、第１ユーザ端末から、第１コンテンツをコンピュータに提供するために用いられ、
前記第２コードは、第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【００２８】
本発明の第１２の実施態様に係る発明は、下記の構成を有する。
少なくとも第１媒体を含む媒体セットであって、
前記第１媒体は物理的形状を有し、
前記第１媒体は、それぞれ異なる複数の第１コードに対応付けられ、
前記第１媒体、又は第２媒体は、１つの第２コードに対応付けられ、
前記第１コードはそれぞれ、ユーザの指示により、ユーザ端末から、第１コンテンツをコンピュータに提供するために用いられ、
前記第２コードは、第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【発明の効果】
【００２９】
本発明に係るコンテンツ管理システムによって、複数のメッセージ（例えば、手書きメッセージ）を含んだ、従来の寄せ書きに関連付けて、動画等のデジタルコンテンツを相手方に提供することができる。
【００３０】
また、本発明に係るコンテンツ管理システムによって、複数のコンテンツを所定のコードに対応付けて記憶し、こうして記憶された複数のコンテンツを、別のコードの読み取りに応じて再生するよう制御することができる。
【図面の簡単な説明】
【００３１】
【図１】本発明の第１実施形態に係るコンテンツ管理システム１の処理概要を説明するための概略図である。
【図２】本発明の第１実施形態に係るコンテンツ管理システム１で利用されるメッセージピースのパターンを示す略線図である。
【図３】本発明の第１実施形態に係るコンテンツ管理システム１のコンテンツ提供端末のハードウェア構成の例を示す略線図である。
【図４】本発明の第１実施形態に係るコンテンツ管理システム１のコンテンツ管理サーバのハードウェア構成の例を示す略線図である。
【図５】本発明の第１実施形態に係るコンテンツ管理システム１のコンテンツ提供端末の機能ブロック図である。
【図６】本発明の第１実施形態に係るコンテンツ管理システム１のコンテンツ視聴端末の機能ブロック図である。
【図７】本発明の第１実施形態に係るコンテンツ管理システム１のコンテンツ管理サーバの機能ブロック図である。
【図８】本発明の第１実施形態に係るコンテンツ管理システム１のテーブルを説明するための略線図である。
【図９】本発明の第１実施形態に係るコンテンツ管理システム１の再生リストの例を説明するための略線図である。
【図１０】本発明の第１実施形態に係るコンテンツ管理システム１のテーブルを説明するための略線図である。
【図１１】本発明の第１実施形態に係るコンテンツ管理システム１のコンテンツ視聴端末におけるコンテンツの再生イメージを説明するための略線図である。
【図１２】本発明の第１実施形態に係るコンテンツ管理システム１におけるコンテンツの登録手順を表すフローチャートである。
【図１３】本発明の第１実施形態に係るコンテンツ管理システム１におけるコンテンツの視聴手順を表すフローチャートである。
【図１４】本発明の第１実施形態に係るコンテンツ管理システム１における再生リストの生成手順を表すフローチャートである。
【図１５】本発明の第１実施形態に係るコンテンツ管理システム１におけるコンテンツの視聴手順を表すフローチャートである。
【図１６】本発明の第１実施形態に係るコンテンツ管理システム１におけるコンテンツ提供端末の画面を示す略線図である。
【図１７】本発明の第１実施形態に係るコンテンツ管理システム１におけるコンテンツ提供端末の画面を示す略線図である。
【図１８】本発明の第１実施形態に係るコンテンツ管理システム１におけるコンテンツ視聴端末の画面を示す略線図である。
【図１９】本発明の第２実施形態に係るコンテンツ管理システム１００１の処理概要を説明するための概略図である。
【図２０】本発明の第２実施形態に係るコンテンツ管理システム１００１におけるコンテンツの管理手順を表すフローチャートである。
【図２１】本発明の第２実施形態に係るコンテンツ管理システム１００１におけるコンテンツ管理端末の画面を示す略線図である。
【図２２】本発明の第２実施形態に係るコンテンツ管理システム１００１におけるコンテンツ管理端末の画面を示す略線図である。
【図２３】本発明の第３実施形態に係るコンテンツ管理システム２００１の処理概要を説明するための概略図である。
【図２４】本発明の第４実施形態に係るコンテンツ管理システム３００１の処理概要を説明するための概略図である。
【発明を実施するための形態】
【００３２】
最初に、本発明の第１実施形態に係るコンテンツ管理システムの概要を、図１を参照して説明する。図１に示すコンテンツ管理システム１は、コンテンツ管理サーバ４０を含み、複数のコンテンツ提供者２（２ａ、２ｂ、２ｃ・・・）の操作に応じて、それぞれのコンテンツ提供端末２０（２０ａ、２０ｂ、２０ｃ・・・）からコンテンツ４（４ａ、４ｂ、４ｃ・・・）を受信し、これらのコンテンツ４に基づいて構成されるコンテンツ８を、コンテンツ視聴者６の操作に応じて、コンテンツ視聴端末３０に提供する。
【００３３】
このようなシステムが利用される典型的なシーンは、退職する会社の同僚に対して寄せ書きを贈る場面であったり、結婚する友人宛てにお祝いのメッセージを送る場面であったりする。この場合、一般的に、コンテンツ提供者２は複数であるのに対し、コンテンツ視聴者６は１人、又は２人である。
【００３４】
上述したコンテンツ管理システム１の仕組みには、メッセージセットＭＳが関与する。例えば、メッセージセットＭＳは、図１に示すように、１つのメッセージボードＭＢと、複数（ここでは、６個）のメッセージピースＭＰを含んでいる。メッセージボードＭＢは、例えば、いわゆる色紙や、板状の紙製・木製ボードである。
【００３５】
メッセージピースＭＰ（ＭＰａ、ＭＰｂ、ＭＰｃ・・・）は、図１の例では、１枚のシート状の形態（メッセージシート）で提供され、例えば、ミシン目等に沿って切り離すことにより、それぞれのメッセージピースとして分離することができる。メッセージピースＭＰの表面は、コンテンツ提供者２が手書きメッセージ等を記入できる記入面を有した記入部となっている。各メッセージピースＭＰの裏面には、個々のメッセージピースＭＰに対応するコード３（３ａ、３ｂ、３ｃ・・・）が表示されている。コード３は、図１の例では、ＱＲコード（登録商標）のような２次元コードである。
【００３６】
それぞれのメッセージピースＭＰは、裏面をはがすとシール面を有したシール部が表出し、このシール部によって、メッセージピースＭＰをメッセージボードＭＢに貼付できるようになっている。また、メッセージボードＭＢの表面には、コード７が表示されている。コード７は、図１の例では、コード３と同様の２次元コードである。
【００３７】
次に、コンテンツ提供者２によるコンテンツ提供方法の例を、より具体的に説明する。最初に、上記のメッセージシートを切り離して、そのなかの１つのメッセージピースＭＰａがコンテンツ提供者２ａに手渡される。そのほか、残りの５個のメッセージピースＭＰが、それぞれ異なる５人のコンテンツ提供者２に渡される。
【００３８】
まず、コンテンツ提供者２ａは、そのメッセージピースＭＰａの記入部に、相手（すなわち、コンテンツ視聴者６）に対するメッセージを記入する。この場合、相手は、例えば、退職する会社の同僚であったり、結婚する友人であったりする。
【００３９】
その後、コンテンツ提供者２ａは、手書きメッセージが記入されたメッセージピースＭＰａを、幹事役のコンテンツ提供者２ｃに渡す。
【００４０】
この時、コンテンツ提供者２ａの手元にメッセージボードＭＢがあれば、コンテンツ提供者２ａ自身が、メッセージピースＭＰａの裏面をはがしてシール部を露出させ、そのメッセージピースＭＰａをメッセージボードＭＢに貼り付けてもよい。例えば、最初にコンテンツ提供者２ａが、メッセージセットＭＳ（メッセージボードＭＢと、メッセージピースＭＰａを含むメッセージシート）を受け取り、自身の分としてメッセージピースＭＰａをメッセージシートから切り離し、そこにメッセージを記入してメッセージボードＭＢに貼付し、その後、メッセージボードＭＢと残りのメッセージピースＭＰが含まれるメッセージシートを次のコンテンツ提供者２に渡すようにすることができる。このように、メッセージボードＭＢとメッセージシートを順に手渡して複数の人が順に手書きメッセージを貼付してゆく運用は、従来の「寄せ書き」の手順に近いものである。
【００４１】
さらに、コンテンツ提供者２ａは、メッセージピースＭＰａの裏面に表示されているコード３ａをコンテンツ提供端末２０ａで読み取り、コンテンツ提供端末２０ａのディスプレイに、コンテンツ登録画面を表示させる。ここで、コンテンツ提供者２ａは、コンテンツ視聴者６に視聴させる動画等のコンテンツ４ａを指定する。コンテンツ提供端末２０ａは、例えば、コンテンツ提供者２ａが所有する、スマートフォン等のカメラ付き携帯機器である。
【００４２】
コンテンツ提供者２ｂもコンテンツ提供者２ａと同様に、手書きメッセージの記入とコンテンツの提供を行う。すなわち、上記のメッセージシートが切り離され、そのなかの１つのメッセージピースＭＰｂがコンテンツ提供者２ｂに手渡される。コンテンツ提供者２ｂは、そのメッセージピースＭＰｂの記入部に、相手（すなわち、コンテンツ視聴者６）に対するメッセージを記入する。
【００４３】
その後、コンテンツ提供者２ｂは、手書きメッセージが記入されたメッセージピースＭＰｂを、幹事役のコンテンツ提供者２ｃに渡す。この時、コンテンツ提供者２ｂの手元にメッセージボードＭＢがあれば、コンテンツ提供者２ｂ自身が、メッセージピースＭＰｂの裏面をはがしてシール部を露出させ、そのメッセージピースＭＰｂをメッセージボードＭＢに貼り付けてもよい。
【００４４】
なお、図１の例では、便宜上、６人のコンテンツ提供者２が存在し（４〜６人目のコンテンツ提供者２ｄ〜２ｆは省略）３人目のコンテンツ提供者２ｃを幹事役としたが、コンテンツ提供者２は何人でもよく、幹事役はどのコンテンツ提供者２でもよい。ただし、コンテンツ提供者２の人数に対応する数のメッセージピースＭＰを含んだメッセージシートが必要となる。
【００４５】
さらに、コンテンツ提供者２ｂは、メッセージピースＭＰｂの裏面に表示されているコード３ｂをコンテンツ提供端末２０ｂで読み取り、コンテンツ提供端末２０ｂのディスプレイに、コンテンツ登録画面を表示させる。ここで、コンテンツ提供者２ｂは、コンテンツ視聴者６に視聴させる動画等のコンテンツ４ｂを指定する。
【００４６】
コンテンツ提供者２ｃは、上記のように幹事役であり、コンテンツ提供者２ａとコンテンツ提供者２ｂから、手書きメッセージの記入されたメッセージピースＭＰａ、ＭＰｂをそれぞれ受領し、それらをメッセージボードＭＢに貼付する。
【００４７】
また、コンテンツ提供者２ｃは、コンテンツ提供者２でもあり、コンテンツ提供者２ａやコンテンツ提供者２ｂと同様に、手書きメッセージをメッセージピースＭＰｃに記入してメッセージボードＭＢに貼付するとともに、自身のコンテンツ提供端末２０ｃでコード３ｃを読み取ることにより、コンテンツ視聴者６に視聴させる動画等のコンテンツ４ｃを指定する。
【００４８】
コンテンツ提供者２ｃは、すべてのコンテンツ提供者２のメッセージピースＭＰをメッセージボードＭＢに貼付すると、そのメッセージボードＭＢを、コンテンツ視聴者６に手渡しする。
【００４９】
次に、コンテンツ視聴者６によるコンテンツ視聴方法の例を、より具体的に説明する。コンテンツ視聴者６は、コンテンツ提供者２がそれぞれ手書きでメッセージを記入したメッセージピースＭＰの貼付されたメッセージボードＭＢを、幹事役のコンテンツ提供者２ｃから受け取る。このメッセージボードＭＢには、複数の人の手書きメッセージが表示され、まさに、「寄せ書き」と同じ態様となっている。
【００５０】
その後、コンテンツ視聴者６は、メッセージボードＭＢに表示されているコード７をコンテンツ視聴端末３０で読み取り、コンテンツ視聴端末３０のディスプレイに、コンテンツ視聴画面を表示させる。ここで、コンテンツ視聴者６は、コンテンツ管理サーバ４０から送信されてくるコンテンツ８を視聴することができる。コンテンツ視聴端末３０は、例えば、コンテンツ視聴者６が所有する、スマートフォン等のカメラ付き携帯機器である。
【００５１】
コンテンツ８は、コンテンツ提供者２（２ａ、２ｂ、２ｃ・・・）から提供されたコンテンツ４（４ａ、４ｂ、４ｃ・・・）に基づいて構成されるコンテンツであり、例えば、登録されたコンテンツ４が、所定の様式で連結されたコンテンツとなっている。
【００５２】
コンテンツ８は、コンテンツ管理サーバ４０で事前に生成されていてもよいし、コンテンツ視聴者６が視聴する際に、適宜編集されて配信されるように構成してもよい。
【００５３】
このように、メッセージボードＭＢには、コンテンツ提供者２の手書きメッセージが記入されたメッセージピースＭＰが貼付され、一方で、それぞれのコンテンツ提供者２からコンテンツ４がコンテンツ管理サーバ４０に登録されるため、コンテンツ視聴者６は、物理的媒体であるメッセージボードＭＢと、電子的媒体であるコンテンツ８をともに目にすることができる。
【００５４】
そのため、コンテンツ視聴者６は、従来の手書きによる「寄せ書き」による風情や情緒を感じつつも、これに加えて、コンテンツ提供者２がそれぞれ登録した電子的なコンテンツ８を、メッセージボードＭＢに表示されたコード７を用いて、容易に視聴することができる。
【００５５】
なお、図１に示す例では、未記入のメッセージピースＭＰはコンテンツ提供者２に手渡しされ、コンテンツ提供者２によってメッセージが記入されたメッセージピースＭＰは幹事役のコンテンツ提供者２に手渡しされ、さらに、メッセージボードＭＢは、幹事役のコンテンツ提供者２からコンテンツ視聴者６に手渡しされるように示したが、必要に応じて、郵便や宅配便といった他の手段を用いて対象物を相手に届けることができる。
【００５６】
なお、図１に示す例では、コンテンツ提供者２であるコンテンツ提供者２ｃを幹事役として、受領したメッセージピースＭＰの貼付と、メッセージボードＭＢのコンテンツ視聴者６への手渡しを行うようにしているが、コンテンツ提供者２でない者を幹事役として上記の作業をさせるよう運用することもできる。この場合、幹事役は、自身がメッセージを記入等するためのメッセージピースＭＰを必要としない。
【００５７】
次に、図２を参照して、メッセージピースＭＰの様々なタイプについて説明する。図２Ａは、図１に示したメッセージピースＭＰと同じタイプのメッセージピースＭＰ−１である。このメッセージピースＭＰ−１は、６個１組で１つのメッセージシートを構成する。上述のように、このメッセージシートから１つのメッセージピースＭＰ−１が切り離されて、それぞれのコンテンツ提供者２に渡される。
【００５８】
そのメッセージピースＭＰ−１の表面は、コンテンツ提供者２が手書きメッセージ等を記入できる記入面を有する記入部となっており、裏面には、コンテンツ提供者２がコンテンツ４を登録するために使用するコード３が表示されている。また、メッセージピースＭＰ−１の裏面に表示されたコード３の上部には、メッセージピースＭＰ−１を識別するためのＩＤを表示することができる。
【００５９】
裏面をはがすと、メッセージピースＭＰ−１の記入部の裏側がシール面になっており、メッセージピースＭＰ−１を、対応するメッセージボードＭＢの表面に貼り付けることができる。なお、図２Ａでは、メッセージボードＭＢが１枚に対してメッセージピースＭＰ−１を６個含む１つのメッセージシートがセットとなって、メッセージセットＭＳを構成するが、メッセージボード１枚に対していくつのメッセージピースＭＰ−１が対応するかは、適宜決定することができ、様々なパターンのメッセージセットＭＳが（販売等されることにより）市場に提供されうる。
【００６０】
図２Ｂに示すメッセージピースＭＰ−２は、図２ＡのメッセージピースＭＰ−１と同様に、６個１組で１つのメッセージシートを構成する。また、これも１つのメッセージボードＭＢに対応付けられるが、上述のように、メッセージボード１枚に対していくつのメッセージピースＭＰ−２が対応するかは、適宜決定することができる。
【００６１】
図２ＢのメッセージピースＭＰ−２では、図２ＡのメッセージピースＭＰ−１と同様に、メッセージピースＭＰ−２ごとに６つに切り離されるが、それぞれのメッセージピースＭＰ−２は、さらに、上側の記入部と下側のコード部とに切り離し可能となっている。
【００６２】
記入部には、図２ＡのメッセージピースＭＰ−１と同様の記入部が設けられ、記入部の裏面をはがすと、メッセージピースＭＰ−１の裏側と同様のシール面が表出し、これによって、記入部がメッセージボードＭＢに貼り付け可能となる。
【００６３】
コード部の表面には、コンテンツ提供者２がコンテンツ４を登録するために使用するコード３が表示されている。また、メッセージピースＭＰ−２の記入部の下側とコード部の上側には、メッセージピースＭＰ−２を識別するためのＩＤがそれぞれ表示されており、メッセージピースＭＰ−２の記入部とコード部が切り離されても、これらの対応付けが可能となっている。
【００６４】
図２Ｂに示すメッセージピースＭＰ−２のような構成により、先に記入部にメッセージを書き込んで、幹事役のコンテンツ提供者２等に渡した後、所望のタイミングで、コード部のコード３を読み取ってコンテンツ４を登録することができる。
【００６５】
図２Ｃに示すメッセージピースＭＰ−３は、図２ＢのメッセージピースＭＰ−２と同様に、記入部とコード部とに分かれているが、すでに切り離された状態であり、これらが１組として所定の包装袋に包装されている。図２Ｃの例でも、６つのメッセージピースＭＰ−３が示されているが、上述のように、１枚のメッセージボードＭＢに対していくつのメッセージピースＭＰ−３が対応するかは、適宜決定することができる。
【００６６】
図２Ｃに示すメッセージピースＭＰ−３は、例えば、記入部が花びらの形状をしており、これらが最終に集められて花の形状に形成され、メッセージボードＭＢに保持される。なお、この例では、メッセージピースＭＰ−３の記入部を花びらの形状としたが、様々な形状とすることができ、複数の記入部を集合的に配置することによって所定形状を形成し、それを相手（コンテンツ視聴者６）に渡すようにすることができる。また、このようなメッセージピースＭＰ−３の場合は、メッセージボードＭＢを省略することもできる。
【００６７】
メッセージピースＭＰ−３のコード部の表面には、図２ＢのメッセージピースＭＰ−２と同様に、コンテンツ提供者２がコンテンツ４を登録するために使用するコード３が表示されている。また、メッセージピースＭＰ−３では、記入部とコード部が別になっているので、先に記入部にメッセージを書き込んで、幹事役のコンテンツ提供者２等に渡した後、所望のタイミングで、コード部のコード３を読み取ってコンテンツ４を登録することができる。
【００６８】
以上、図２を参照して３つのパターンのメッセージピースＭＰ（ＭＰ−１、ＭＰ−２、ＭＰ−３）の構成について説明したが、本発明では、他の様々な構成のメッセージピースＭＰを物理的媒体として採用することができる。また、同様に、メッセージボードＭＢも、様々な形態の物理的媒体として採用することができる。
【００６９】
このように、様々な形態のメッセージセットＭＳを考えることができるが、このようなメッセージセットＭＳを単位として市場等で提供されることにより、メッセージピースＭＰのそれぞれが、すでに、メッセージボードＭＢ等と関連付けられていることが分かる。また、システム的には、メッセージピースＭＰに対応付けられたコードとメッセージボードＭＢ等に対応付けられたコードが、すでに対応付けられた状態で、所定の記憶手段内に記憶されている。
【００７０】
また、メッセージピースＭＰに、コンテンツ登録用のコード３が対応付けられる場合、図２では、このようなコードが裏面に表示されたり、切り離し可能に接続されていたり、包装袋に同梱されていたりするが、この他にも様々な態様が考えられる。一方、メッセージボードＭＢ等に、コンテンツ視聴用のコード７が対応付けられる場合、図１では、メッセージボードＭＢにコード７が表示されているが、メッセージボードＭＢに紐等で連結されていたり、メッセージボードＭＢに包装袋で同梱されていたりするなど、これについても他の様々な態様が考えられる。例えば、メッセージボードＭＢが旅行鞄等の鞄類を模した形状であり、コンテンツ視聴用のコード７が、その鞄に紐等で連結されたラゲッジタグを模した形状のものに印刷されるといった態様も考えられる。また、メッセージボードＭＢがボックスタイプの形状であり、そのボックスタイプのメッセージボードＭＢを開いた際に、上蓋にコンテンツ視聴用のコード７が付与されていたり印刷されていたりするといった態様も考えられる（なお、本明細書では、メッセージボードＭＢは、「ボード」状のものに限られず、上記の例のようにボックス形状のもの等も採用されうるが、便宜上、メッセージボードＭＢとして総称することにする）。
【００７１】
例えば、メッセージピースＭＰのそれぞれとコード３を様々な形態で対応付けすることができる。また、コード３は、この例では、それぞれ異なるコードとなっているが、特段、コンテンツ提供者２を区別する必要がない場合は、メッセージセットＭＳに含まれるコード３を、すべて同じコードにすることができる。また、コンテンツ提供者２を、所定のカテゴリで分類したい場合は、同じコード３のグループをいくつか用意することもできる。
【００７２】
また、本実施形態では、コンテンツ提供者２がコンテンツ４を登録する際、及びコンテンツ視聴者６がコンテンツ８を視聴する場合に、２次元コードをそれぞれの携帯端末で読み取るようにしているが、こうした２次元コードの代わりに、ＩＣタグ（非接触ＩＣチップ）等をメッセージピースＭＰやメッセージボードＭＢに埋め込み、そこに記憶されたコードを読み取ることで、コンテンツ４の登録やコンテンツ８の視聴を可能とするよう構成してもよい。
【００７３】
本実施形態のコンテンツ管理システム１では、コンテンツ提供端末２０やコンテンツ視聴端末３０が標準で備えるＷＥＢブラウザを用いて、それぞれコンテンツ４の登録、コンテンツ８の視聴を行うことができるが、専用アプリケーションをインストールして、上記機能を実現させることもできる。
【００７４】
次に、図３を参照して、コンテンツ提供端末２０のハードウェア構成の例について説明する。コンテンツ視聴端末３０も、図３に示すものと同様の構成を有する。また図３の構成は、スマートフォンについての代表的な構成を例示したにすぎない。他の様々なコンピュータをコンテンツ提供端末２０、コンテンツ視聴端末３０として利用することができる。
【００７５】
コンテンツ提供端末２０は、ＣＰＵ（Central  Processing  Unit）２０１、メモリ２０２、インカメラ２０３ａ、アウトカメラ２０３ｂ、ＧＰＳ制御部２０４、ＧＰＳ用アンテナ２０５、無線信号処理部２０６、無線通信用アンテナ２０７、オーディオ制御部２０８、マイクロフォン２０９、スピーカ２１０、ディスプレイ制御部２１１、入力機器インタフェース２１２、タッチスクリーン２１３、非接触ＩＣカードリーダ／ライタ２１４、センサー２１５、補助記憶装置２１６、及び外部記録媒体インタフェース２１７を含んでいる。
【００７６】
ＣＰＵ２０１は、コンテンツ提供端末２０の各構成要素の動作を制御し、ＯＳの制御下で、各機能を実行する。
【００７７】
メモリ２０２は通常ＲＡＭ（Random  Access  Memory）で構成される。メモリ２０２には、ＣＰＵ２０１で実行される各機能を実現するためのプログラムが実行時にロードされ、当該プログラムに必要なデータ等が一時的に記憶される。
【００７８】
インカメラ２０３ａ、アウトカメラ２０３ｂは、コンテンツ提供端末２０に内蔵される小型の撮像装置で、撮像素子がＣＣＤやＣＭＯＳといったタイプのものがある。これらのカメラによって、メッセージピースＭＰのコード３が読み取られる。また、これらのカメラによって撮像された動画や静止画が、コンテンツ４として登録され、コンテンツ管理サーバ４０に送信されうる。インカメラ２０３ａは、後述するタッチスクリーン２１３の付近に設けられた内側のカメラであり、通常はアウトカメラ２０３ｂより解像度が低いサブカメラの位置付けである。アウトカメラ２０３ｂは、後述するタッチスクリーン２１３の反対側に設けられた外側のカメラであり、通常はアウトカメラ２０３ｂより解像度が高いメインカメラの位置付けである。
【００７９】
また、コンテンツ視聴端末３０においては、これらのカメラによって、メッセージボードＭＢのコード７が読み取られる。
【００８０】
ＧＰＳ制御部２０４は、ＧＰＳ用アンテナ２０５を介して、複数のＧＰＳから信号を受信し、コンテンツ提供端末２０の位置を調べる。こうして求められた位置情報は、後述する補助記憶装置２１６等に記憶され、必要に応じてプログラムで利用される。
【００８１】
無線信号処理部２０６は、無線通信用アンテナ２０７を介して携帯電話基地局と通信を行い、他の機器との間での通話データの送受信や、（インターネットを介した）他端末との間でのＷＥＢページやメールデータの送受信を制御する。また、無線信号処理部２０６は、無線通信用アンテナ２０７を用いて無線ＬＡＮアクセスポイントとの間で無線ＬＡＮによる通信を実現し、インターネット経由のデータ送受信を行う（ここでは、便宜上、無線信号処理部２０６と無線通信用アンテナ２０７が、携帯電話基地局との間の無線通信及び無線ＬＡＮアクセスポイントとの間の無線通信を行うものとした）。
【００８２】
オーディオ制御部２０８は、マイクロフォン２０９とスピーカ２１０を制御して無線通信による通話を実現し、一方で、アプリケーションにおいて動画や音楽を再生する場合に、音声を出力するよう制御する。
【００８３】
タッチスクリーン２１３は、例えば、ＬＣＤ（Liquid  Crystal  Display）などで構成される表示装置で、情報を表示するとともに、ユーザが指などで画面表面をタッチした（押した）位置を、抵抗膜方式や静電容量方式などのタッチセンサーで検知する。ディスプレイ制御部２１１は、ＣＰＵ２０１が発行する描画データを処理して、例えば、ＷＥＢページや動画等を、タッチスクリーン２１３の表示装置に出力する。入力機器インタフェース２１２は、タッチスクリーン２１３のタッチセンサーが、ユーザによる操作を検知し、これを所定の信号としてＣＰＵ２０１に送信する。
【００８４】
非接触ＩＣカードリーダ／ライタ２１４は、非接触ＩＣチップが埋め込まれたカードがコンテンツ提供端末２０の所定の位置にかざされた場合に、ＣＰＵ２０１の指令に基づいて、そのＩＣチップに記憶されているデータを読み取り、又は、ＩＣチップに所定のデータを書き込む。本実施形態では、メッセージピースＭＰのコード３やメッセージボードＭＢのコード７が、このようなＩＣチップに記憶されている場合に、それらのデータを読み出すことができる。
【００８５】
センサー２１５は、タッチスクリーン２１３のタッチセンサー以外のセンサーであり、モーションセンサー、光センサー、近接センサーなどがある。
【００８６】
補助記憶装置２１６は、例えば、フラッシュメモリと呼ばれる半導体メモリやハードディスクで構成される。補助記憶装置２１６は、ＣＰＵ２０１で実行される各機能を実現するためのプログラムを記憶するほか、各種データを記憶する。
【００８７】
外部記録媒体インタフェース２１７は、外部記録媒体２２０にアクセスして、そこに記録されているデータを読み取る。外部記録媒体２２０は、例えば、可搬型のフラッシュメモリである。ＣＰＵ２０１で実行され本発明の各機能を実現するためのプログラムは、この外部記録媒体インタフェース２１７や、前述したような、無線信号処理部２０６及び無線通信用アンテナ２０７を介した携帯電話網やネットワークを経由してコンテンツ提供端末２０に提供される。
【００８８】
図３は、スマートフォンがコンテンツ提供端末２０として用いられた場合の構成を示しているが、例えば、携帯電話等がコンテンツ提供端末２０として用いられた場合、これらがタッチスクリーンを備えていなければ、ディスプレイ制御部２１１には、ＬＣＤ等からなる表示装置が接続され、入力機器インタフェース２１２にはボタン等が接続される。
【００８９】
また、一般的なＰＣがコンテンツ提供端末２０として用いられた場合、外部ネットワークに接続するためのネットワークインタフェースが追加され、ディスプレイ制御部２１１には、ＬＣＤ等からなる組み込み型又は別筐体の表示装置が接続され、入力機器インタフェース２１２には、キーボードやマウスが接続される。また、メッセージピースＭＰのコード３やメッセージボードＭＢのコード７を読み取るためのカメラやスキャナ、非接触ＩＣカードリーダ等が接続されうる。
【００９０】
次に、図４を参照して、コンテンツ管理サーバ４０のハードウェア構成の例について説明する。ただし、図４のコンテンツ管理サーバ４０は、一般的なサーバコンピュータについての代表的な構成を例示したにすぎない。他の様々なコンピュータをコンテンツ管理サーバ４０として利用することができる。
【００９１】
コンテンツ管理サーバ４０は、ＣＰＵ４０１、メモリ４０２、ネットワークインタフェース４０３、ディスプレイコントローラ４０４、ディスプレイ４０５、入力機器インタフェース４０６、キーボード４０７、マウス４０８、外部記憶装置４０９、及び外部記録媒体駆動装置４１０を含んでいる。
【００９２】
ＣＰＵ４０１は、コンテンツ管理サーバ４０のコンテンツ提供端末２０の各構成要素の動作を制御し、ＯＳの制御下で、各機能を実行する。
【００９３】
メモリ４０２は通常、不揮発性メモリであるＲＯＭ（Read  Only  Memory）、及び揮発性メモリであるＲＡＭ（Random  Access  Memory）から構成される。ＲＯＭには、コンテンツ管理サーバ４０の起動時に実行されるプログラム等が格納される。ＲＡＭには、ＣＰＵ４０１で実行されるプログラムや、それらのプログラムが実行中に使用するデータ等が一時的に格納される。
【００９４】
ネットワークインタフェース４０３は、ネットワーク４２０に接続するためのインタフェースである。ネットワーク４２０は、例えば、無線通信ネットワーク、及びインターネットを含むネットワークである。
【００９５】
ディスプレイコントローラ４０４は、ＣＰＵ４０１が発行する描画命令を実際に処理するための専用コントローラである。ディスプレイコントローラ４０４で処理された描画データは、一旦グラフィックメモリに書き込まれ、その後、ディスプレイ４０５に出力される。ディスプレイ４０５は、例えば、ＬＣＤ（Liquid  Crystal  Display）で構成される表示装置である。
【００９６】
入力機器インタフェース４０６は、キーボード４０７やマウス４０８から入力された信号を受信して、その信号パターンに応じて所定の指令をＣＰＵ４０１に送信する。
【００９７】
外部記憶装置４０９は、例えば、ハードディスクドライブ（ＨＤＤ）のような記憶装置であり、この装置内には上述したプログラムやデータが記録され、実行時に、必要に応じてそこからメモリ４０２のＲＡＭにロードされる。
【００９８】
外部記録媒体駆動装置４１０は、ＣＤ（Compact  Disc）、ＤＶＤ（Digital  Versatile  Disc）などの可搬型の外部記録媒体４３０の記録面にアクセスして、そこに記録されているデータを読み取る装置である。外部記録媒体４３０には、本発明に係るコンテンツ管理方法を実現するためのプログラムも記録することが可能である。外部記録媒体４３０に記録されているデータは、外部記録媒体駆動装置４１０を介して外部記憶装置４０９に格納され、プログラムであれば、実行時にメモリ４０２のＲＡＭにロードされる。
【００９９】
なお、コンテンツ管理サーバ４０では、管理者等による操作の必要がない場合や、リモート接続によって操作される場合は、上述したディスプレイコントローラ４０４、ディスプレイ４０５、入力機器インタフェース４０６、キーボード４０７、及びマウス４０８は不要である。
【０１００】
次に、図５の機能ブロック図を参照して、本発明の第１実施形態に係るコンテンツ管理システム１におけるコンテンツ提供端末２０の機能の概要について説明する。図５に示すように、コンテンツ提供端末２０は、撮像制御部２５１、デコード部２５２、アクセス制御部２５３、コンテンツ登録制御部２５４、入出力制御部２５５、及びネットワークＩ／Ｆ部２５６を含んでいる。また、コンテンツ提供端末２０の補助記憶装置２６０には、コンテンツファイル記憶領域２６１が確保される。
【０１０１】
撮像制御部２５１は、コンテンツ提供端末２０のユーザ（コンテンツ提供者２）による操作に基づいて、図２に示すコンテンツ提供端末２０のインカメラ２０３ａやアウトカメラ２０３ｂを制御し、メッセージピースＭＰのコード３を読み取る。コード３は、上述のように、メッセージピースＭＰの裏面に表示されている場合や（メッセージピースＭＰ−１）、メッセージピースＭＰの記入部と切り離し可能なコード部に表示されている場合や（ＭＰ−２）、メッセージピースＭＰの記入部とは事前に切り離された状態で梱包されるコード部に表示されている場合など（ＭＰ−３）、様々な態様が考えられる。
【０１０２】
また、撮像制御部２５１は、一方で、コンテンツ４を作成するための動画や静止画を撮影し、コンテンツファイル記憶領域２６１に記憶する。
【０１０３】
デコード部２５２は、撮像制御部２５１によりコンテンツ提供端末２０のインカメラ２０３ａやアウトカメラ２０３ｂで撮影されたコード３の画像を受信し、所定のデコードロジックにより、コード３の画像から、テキスト列を取り出す。この例では、コード３はＱＲコード（登録商標）であり、デコードロジックにより、ＵＲＬパラメータを含むＵＲＬのテキスト列が抽出される。
【０１０４】
アクセス制御部２５３は、デコード部２５２により抽出されたＵＲＬを用い、ＷＥＢブラウザ等によるアクセスを行い、ＷＥＢサーバ（ここでは、コンテンツ管理サーバ４０）に対してＨＴＴＰリクエストを送信するとともに、当該ＷＥＢサーバからＨＴＴＰレスポンスを受け取る。
【０１０５】
コンテンツ登録制御部２５４は、上記のＷＥＢサーバとの間のＨＴＴＰリクエスト、ＨＴＴＰレスポンスを介して、コンテンツ提供端末２０のタッチスクリーン２１３にコンテンツ登録画面等を表示させ、コンテンツ提供者２がコンテンツ４を登録することを可能とする。こうして登録されたコンテンツ４は、コンテンツ管理サーバ４０に記憶される。また、コンテンツ４は、コンテンツ提供者２によって、コンテンツファイル記憶領域２６１等のなかから指定されたデータである。
【０１０６】
入出力制御部２５５は、図３に示すコンテンツ提供端末２０のタッチスクリーン２１３、及び入力機器インタフェース２１２を介して得られるユーザの操作に係る信号をＣＰＵ２０１に送信するとともに、ＣＰＵ２０１の指令に基づいて、コンテンツ登録画面等を、ディスプレイ制御部２１１を介してタッチスクリーン２１３に表示するよう制御する。
【０１０７】
ネットワークＩ／Ｆ部２５６は、図３に示すコンテンツ提供端末２０の無線信号処理部２０６等を制御して、コンテンツ管理サーバ４０との間のデータ送受信を実現する。
【０１０８】
上述したアクセス制御部２５３〜ネットワークＩ／Ｆ部２５６の各機能は、基本的には、汎用アプリケーションであるＷＥＢブラウザで実現されるが、コンテンツ提供端末２０にインストールされた専用アプリケーションによって実現することもできる。
【０１０９】
次に、図６の機能ブロック図を参照して、本発明の第１実施形態に係るコンテンツ管理システム１におけるコンテンツ視聴端末３０の機能の概要について説明する。図６に示すように、コンテンツ視聴端末３０は、撮像制御部３５１、デコード部３５２、アクセス制御部３５３、コンテンツ再生制御部３５４、入出力制御部３５５、及びネットワークＩ／Ｆ部３５６を含んでいる。
【０１１０】
撮像制御部３５１は、コンテンツ視聴端末３０のユーザ（コンテンツ視聴者６）による操作に基づいて、コンテンツ視聴端末３０のインカメラやアウトカメラを制御し、メッセージボードＭＢのコード７を読み取る。なお、コード７は、メッセージボードＭＢ以外の物に表示される場合もある。
【０１１１】
デコード部３５２は、撮像制御部３５１によりコンテンツ視聴端末３０で撮影されたコード７の画像を受信し、所定のデコードロジックにより、コード７の画像から、テキスト列を取り出す。この例では、コード７はＱＲコード（登録商標）であり、デコードロジックにより、ＵＲＬパラメータを含むＵＲＬのテキスト列が抽出される。
【０１１２】
アクセス制御部３５３は、デコード部３５２により抽出されたＵＲＬを用い、ＷＥＢブラウザ等によるアクセスを行い、ＷＥＢサーバ（ここでは、コンテンツ管理サーバ４０）に対してＨＴＴＰリクエストを送信するとともに、当該ＷＥＢサーバからＨＴＴＰレスポンスを受け取る。
【０１１３】
コンテンツ再生制御部３５４は、上記のＷＥＢサーバとの間のＨＴＴＰリクエスト、ＨＴＴＰレスポンスを介して、コンテンツ視聴端末３０のタッチスクリーンにコンテンツ再生画面等を表示させ、コンテンツ視聴者６がコンテンツ８を視聴することを可能とする。
【０１１４】
入出力制御部３５５は、コンテンツ視聴端末３０のタッチスクリーン、及び入力機器インタフェースを介して得られるユーザの操作に係る信号をＣＰＵに送信するとともに、ＣＰＵの指令に基づいて、コンテンツ再生画面等を、ディスプレイ制御部を介してタッチスクリーンに表示するよう制御する。
【０１１５】
ネットワークＩ／Ｆ部３５６は、コンテンツ視聴端末３０の無線信号処理部等を制御して、コンテンツ管理サーバ４０との間のデータ送受信を実現する。
【０１１６】
上述したアクセス制御部３５３〜ネットワークＩ／Ｆ部３５６の各機能は、基本的には、汎用アプリケーションであるＷＥＢブラウザで実現されるが、コンテンツ視聴端末３０にインストールされた専用アプリケーションによって実現することもできる。
【０１１７】
次に、図７の機能ブロック図を参照して、本発明の第１実施形態に係るコンテンツ管理サーバ４０の機能の概要について説明する。図７に示すように、コンテンツ管理サーバ４０は、アクセス制御管理部４５１、コンテンツ登録管理部４５２、再生リスト生成部４５３、コンテンツ再生管理部４５４、ユーザ管理部４５５、及びネットワークＩ／Ｆ部４５６を含んでいる。また、外部記憶装置４６０には、コンテンツ管理テーブル４６１、再生リストテーブル４６２、及びユーザ管理テーブル４６３が記憶されるとともに、コンテンツファイル記憶領域４６４、及び再生リスト記憶領域４６５が設けられる。
【０１１８】
アクセス制御管理部４５１は、コンテンツ提供端末２０がコード３を読み取った後に、そのコード３から読み取ったＵＲＬに基づいて行うアクセスや、コンテンツ視聴端末３０がコード７を読み取った後に、そのコード７から読み取ったＵＲＬに基づいて行うアクセス（すなわち、ＨＴＴＰリクエスト）に応じて、対応するＨＴＴＰレスポンスをそれぞれの端末に送信し、ＷＥＢサーバとしての機能を実現する。
【０１１９】
コンテンツ登録管理部４５２は、コンテンツ提供端末２０によるコンテンツ登録操作に応じて、コンテンツ４をコンテンツ提供端末２０から受信し、これに関連して、コンテンツ管理テーブル４６１を更新し、コンテンツ４をコンテンツファイル記憶領域４６４に格納する。
【０１２０】
再生リスト生成部４５３は、コンテンツ提供端末２０でコンテンツ登録操作が行われた場合に、そのコンテンツ提供端末２０から提供されたコンテンツＩＤに対応するボードＩＤについて、コンテンツの再生順や再生態様等を定義した再生リストを生成し、これに関連して、再生リストテーブル４６２を更新し、生成された再生リストを再生リスト記憶領域４６５に格納する。
【０１２１】
なお、再生リストに定義される、コンテンツの再生順や再生態様等が、下記のコンテンツ再生管理部４５４において、コンテンツ８の再生時に動的に決定される場合、再生リスト生成部４５３は不要である。
【０１２２】
コンテンツ再生管理部４５４は、コンテンツ視聴端末３０によるコンテンツ再生操作に応じて、コンテンツ８をコンテンツ視聴端末３０に送信し、コンテンツ視聴端末３０によるコンテンツ８の再生を可能とする。コンテンツ８は、複数の関連するコンテンツ提供端末２０から送信されたコンテンツ４に基づいて構成されたコンテンツである。
【０１２３】
ユーザ管理部４５５は、コンテンツ提供端末２０の利用によってコンテンツ提供者２の識別情報を取得するとともに、コンテンツ視聴端末３０の利用によってコンテンツ視聴者６の識別情報を取得し、これらの関係性（すなわち、複数のコンテンツ提供者２が、１人（又は２人）のコンテンツ視聴者６にコンテンツを提供するという関係性）をユーザ管理テーブル４６３に保持する。
【０１２４】
ネットワークＩ／Ｆ部４５６は、図４に示すコンテンツ管理サーバ４０のネットワークインタフェース４０３等を制御して、インターネット等のネットワークに接続し、コンテンツ提供端末２０やコンテンツ視聴端末３０との間のデータ送受信を実現する。
【０１２５】
次に、図８ないし図１０を参照して、本発明の第１実施形態に係るコンテンツ管理システム１におけるテーブルの例について説明する。
【０１２６】
図８Ａには、コンテンツ管理テーブル４６１の例が示されている。コンテンツ管理テーブル４６１は、コンテンツＩＤ、ボードＩＤ、コンテンツデータ名、登録日時、再生順、及びロック状態の各項目を記憶する。
【０１２７】
ここで、コンテンツＩＤは、各メッセージピースＭＰを識別するためのＩＤであり、ボードＩＤは、メッセージボードＭＢを識別するためのＩＤである。これらのＩＤは、メッセージピースＭＰとメッセージボードＭＢとが、メッセージセットＭＳとして市場に提供される際に、あらかじめ対応付けられた状態でコンテンツ管理テーブル４６１に記憶される。
【０１２８】
コンテンツＩＤは、メッセージピースＭＰに対応付けられているコード３に含まれており、コンテンツ提供者２がコード３を読み取ると、コンテンツ４を登録するためのＵＲＬと、このコンテンツＩＤが取得され、当該ＵＲＬに基づいてコンテンツ管理サーバ４０にアクセスすることで、コンテンツＩＤもコンテンツ管理サーバ４０に（例えば、ＵＲＬパラメータとして）送信される。そこで、このコンテンツＩＤに対応するボードＩＤが特定される。
【０１２９】
コンテンツデータ名には、コンテンツ提供者２からコンテンツ提供端末２０を介して登録されたコンテンツ４のファイル名が記憶され、そのコンテンツの実体であるコンテンツ４は、コンテンツファイル記憶領域４６４に記憶される。登録日時は、コンテンツ提供者２がコンテンツ提供端末２０によりコンテンツ４を登録した日時である。この例では、コンテンツ提供者２は、後述するロックが設定されるまで、何度でもコンテンツ４を登録することができ、そのたびに、コンテンツデータ名、コンテンツファイル記憶領域４６４に記憶されたコンテンツ４、及び登録日時は上書きされる。
【０１３０】
再生順は、コンテンツＩＤに応じて予め設定されている。なお、この例では、コンテンツ視聴者６が視聴するコンテンツ８は、複数のコンテンツ提供者２から登録されたコンテンツ４を順次再生するように構成される。
【０１３１】
再生順は、この例では、１枚目のメッセージピースＭＰに対応するコンテンツＩＤ（００１１００１）によって登録されたコンテンツ４（コンテンツデータ名＝「ＡＡ．ｍｐ４」）が最初に再生され、次に、２枚目のメッセージピースＭＰに対応するコンテンツＩＤ（００１１００２）によって登録されたコンテンツ４（コンテンツデータ名＝「ＢＢ．ｍｐ４」）が再生され、最後に、６枚目のメッセージピースＭＰに対応するコンテンツＩＤ（００１１００６）によって登録されたコンテンツ４（コンテンツデータ名＝「ＦＦ．ｍｐ４」）が再生される。
【０１３２】
なお、この例では、４枚目のメッセージピースＭＰに対応するコンテンツＩＤ（００１１００４）によって登録されたコンテンツ４が、この時点では当該コンテンツの再生がスキップされ、第５の再生順であった「ＥＥ．ｍｐ４」が４番目に再生され、第６の再生順であった「ＦＦ．ｍｐ４」が４番目に再生される。その後、コンテンツＩＤ（００１１００４）によってコンテンツ４が登録された場合、その登録されたコンテンツが４番目に再生され、「ＥＥ．ｍｐ４」が５番目に再生され、「ＦＦ．ｍｐ４」が６番目に再生される。
【０１３３】
また、このような再生順は、後述するように、管理者等により変更することが可能である。
【０１３４】
ロック状態は、対応するコンテンツ４の登録を許可するか否かを示すフラグである。ロック状態が「０」の場合は、コンテンツ４の登録が可能であり、コンテンツ４が既に登録されている場合であっても、上書きして登録することができる。ロック状態が「１」の場合は、コンテンツ４の登録ができない。
【０１３５】
なお、このようなロック状態の設定は、所定の条件により自動的に、又は、管理者により行うことができる。また、ロック状態の項目を省略することもできる。
【０１３６】
図８Ｂには、再生リストテーブル４６２の例が示されている。再生リストテーブル４６２は、ボードＩＤ、及び再生リスト名の各項目を記憶する。
【０１３７】
再生リストは、例えば、図７に示すコンテンツ管理サーバ４０の再生リスト生成部４５３が、コンテンツ提供端末２０でコンテンツ登録操作が行われた場合に、そのコンテンツ提供端末２０から提供されたコンテンツＩＤに対応するボードＩＤについて、コンテンツの再生順や再生態様等を定義するよう生成したものである。再生リストテーブル４６２は、こうして生成された再生リストを管理するものであり、生成された再生リストの名称が、ボードＩＤに対応付けられて記憶されている。
【０１３８】
生成された再生リストは、上述のように、再生リスト記憶領域４６５に、対応する再生リスト名で格納される。
【０１３９】
図９には、ボードＩＤ＝「００１１」に対応する再生リスト（再生リスト名＝「００１１．ｌｓｔ」）が例示されている。コンテンツ視聴端末３０、及びコンテンツ管理サーバ４０の少なくとも一方は、この再生リストの内容を解釈して、コンテンツ視聴端末３０のタッチスクリーンにコンテンツ８を再生するよう制御する。
【０１４０】
図９に示す再生リストは、コンテンツ視聴者６が視聴するコンテンツ８が、複数のコンテンツ提供者２から登録されたコンテンツ４を順次再生するように構成されたコンテンツとなるよう定義するものである。
【０１４１】
再生リストでは、最初に再生されるオープニングムービー、最後に再生されるエンディングムービー、コンテンツ８の映像とともに再生されるＢＧＭ、当該ＢＧＭの開始時間（ＢＧＭスタート）、終了時間（ＢＧＭエンド）、ボリューム（ＢＧＭボリューム）が指定されている。
【０１４２】
また、コンテンツを切り替える際のエフェクトを定義するトランジション、コンテンツ提供者２から登録されたコンテンツ４が静止画だった場合の再生時間を定義する静止画再生時間が指定される。
【０１４３】
このような再生リストでの指定は、自動的に固定値がセットされるが、管理者やコンテンツ提供者２等が指定するよう制御することもできる。
【０１４４】
再生リストはさらに、再生対象となる元のコンテンツデータを示すコンテンツデータ名（１）〜（６）を含む。なお、この例では、図８に示すように、ボードＩＤ＝「００１１」に対応するコンテンツＩＤ（＝「００１１００４」）について、コンテンツ４の登録がされていないため、５つのコンテンツデータ名が指定されている。
【０１４５】
図１０には、ユーザ管理テーブル４６３の例が示されている。ユーザ管理テーブル４６３は、コンテンツＩＤ／ボードＩＤ、ユーザ入力ＩＤ、及びユーザＩＤの各項目を記憶する。
【０１４６】
コンテンツＩＤ／ボードＩＤには、図８に関連して説明したコンテンツＩＤ、ボードＩＤのどちらかが記憶される。ユーザ入力ＩＤは、コンテンツ提供者２やコンテンツ視聴者６を識別するためのＩＤであり、このＩＤは、コンテンツ４を登録するためにコンテンツ提供端末２０がコンテンツ管理サーバ４０にアクセスした場合や、コンテンツ８を視聴するためにコンテンツ視聴端末３０がコンテンツ管理サーバ４０にアクセスした場合に、コンテンツ提供者２やコンテンツ視聴者６に入力させることで取得することができる。
【０１４７】
ここで、コンテンツ提供者２やコンテンツ視聴者６に入力させるＩＤは、例えば、メールアドレスやＳＮＳのＩＤ等である。また、コンテンツ提供者２やコンテンツ視聴者６に入力操作をさせることなく、コンテンツ提供端末２０やコンテンツ視聴端末３０の機器ＩＤ、ユーザＩＤ、ＭＡＣアドレス、電話番号といった識別情報を取得するようにしてもよい。
【０１４８】
なお、この例では、コンテンツ提供者２に係るユーザ入力ＩＤは、コンテンツ提供者２がメッセージピースＭＰのコード３を読み取ってコンテンツ４を登録するため、コード３に対応するコンテンツＩＤに対応付けられる。一方、コンテンツ視聴者６に係るユーザ入力ＩＤは、コンテンツ視聴者６がメッセージボードＭＢのコード７を読み取ってコンテンツ８を視聴するため、コード７に対応するボードＩＤに対応付けられる。
【０１４９】
ユーザ管理テーブル４６３ではさらに、ユーザ入力ＩＤが、コンテンツ管理システム１で標準化された体系であるユーザＩＤに対応付けられる。例えば、このようなユーザＩＤにより、１つのメッセージボードＭＢ（ボードＩＤ）に関与したコンテンツ提供者２とコンテンツ視聴者６がユーザＩＤの一部の情報（例えば、上４桁の「００１１」）で、１つのユーザグループとして関連づけられる。
【０１５０】
また、第１ユーザグループのユーザＩＤ１と、第２ユーザグループのユーザＩＤ２が同じユーザ入力ＩＤに対応している場合（すなわち、ユーザＩＤ１のユーザとユーザＩＤ２のユーザが、実質的に同じユーザである場合）、その関係性によって、第１グループと第２グループとを関連付けることができる。
【０１５１】
また、コンテンツ視聴者６がコンテンツ８を視聴した場合に（例えば、すべてのコンテンツ８を視聴した後や、各コンテンツの再生の間等に）、マーケティング等を目的として、自動的に誘導させるＳＮＳやＷＥＢのアドレス（又は、誘導先を識別するコード等）を、それぞれのコンテンツ視聴者６に対応付けて、ユーザ管理テーブル４６３に設定しておくこともできる。
【０１５２】
図１１は、再生リストにより、コンテンツ視聴端末３０におけるコンテンツ８の再生がどのように行われるかを概略表している。
【０１５３】
図１１Ａは、図９に示す再生リストによるコンテンツ８の再生態様を示している。最初に、オープニングムービーに指定されたｓｔａｒｔ０１．ｍｐ４の再生が行われ、次に、コンテンツ提供者２によって登録された第１の再生順のコンテンツ（「ＡＡ．ｍｐ４」）が再生され、次に、コンテンツ提供者２によって登録された第２の再生順のコンテンツ（「ＢＢ．ｍｐ４」）が再生される。ここで、トランジションに「ｃｒｏｓｓ  ｆａｄｅ」が指定されているため、「ＡＡ．ｍｐ４」の最後ではフェードアウトのエフェクトが実施され、「ＡＡ．ｍｐ４」の最初ではフェードインのエフェクトが実施される。
【０１５４】
その後、同様に、「ＣＣ．ｍｐ４」、「ＥＥ．ｊｐｇ」、「ＦＦ．ｍｐ４」の再生が行われる。なお、第４の再生順である「ＥＥ．ｊｐｇ」は、静止画であるため、静止画再生時間の指定に基づいて、１５秒間当該静止画の表示が継続される。
【０１５５】
第５の再生順である「ＦＦ．ｍｐ４」の再生が終了すると、再生リストの指定に従って、エンディングムービーに指定されたｅｎｄ０２．ｍｐ４の再生が行われ、再生が終了する。
【０１５６】
また、再生リストのＢＧＭに関する指定に従って、コンテンツ８の再生中、ＢＧＭ０１．ｍｐ３の再生が（ボリューム＝「０４」で）行われる。なお、ＢＧＭがコンテンツ８の再生時間より短い場合は、自動的にそのＢＧＭが繰り返し再生されるよう制御される。
【０１５７】
また、ＢＧＭが、コンテンツ８の再生時間より長い場合は、当該ＢＧＭのどの部分から再生するかを指定することもでき、それぞれのコンテンツ４に音声が含まれる場合は、ＢＧＭの再生を中止して、その音声を再生することもできる。
【０１５８】
図１１Ｂは、あらたなコンテンツ提供者２がコンテンツ４を追加した場合の、コンテンツ８の再生態様を示している。このとき、再生リストには、コンテンツ４の追加に応じて、第４の再生順に、「ＤＤ．ｊｐｇ」が追加され、「ＥＥ．ｊｐｇ」が第５の再生順に、「ＦＦ．ｍｐ４」が第６の再生順に変更される。また、コンテンツの再生順や再生態様等が、コンテンツ８の再生時に動的に決定される場合は、再生リストを更新することなく、図１１Ｂに示すようなコンテンツ８の再生が行われる。
【０１５９】
図１１Ｂでは、「ＣＣ．ｍｐ４」と「ＥＥ．ｊｐｇ」の間で、「ＤＤ．ｊｐｇ」の再生が行われる。「ＤＤ．ｊｐｇ」は静止画であるため、ここでも、静止画再生時間の指定に基づいて、１５秒間当該静止画の表示が行われる。また、「ＣＣ．ｍｐ４」と「ＤＤ．ｊｐｇ」の切り替え時、及び「ＤＤ．ｊｐｇ」と「ＥＥ．ｊｐｇ」の切り替え時には、「ｃｒｏｓｓ  ｆａｄｅ」のトランジションが行われる。
【０１６０】
次に、図１２ないし図１８を参照して、本発明の第１実施形態に係るコンテンツ管理システム１におけるコンテンツ登録処理とコンテンツ視聴処理について説明する。なお、図１２ないし図１５は、コンテンツ登録処理、コンテンツ視聴処理に関する手順を説明するためのフローチャートであり、コンテンツ提供端末２０、コンテンツ管理サーバ４０、及びコンテンツ視聴端末３０の処理が、それぞれ時間の経過とともに表されている。
【０１６１】
図１２は、コンテンツ提供者２がコンテンツ提供端末２０においてコンテンツ４を登録する場合の処理の手順を示した図である。
【０１６２】
最初に、コンテンツ提供端末２０が、コンテンツ提供者２の操作に応じて、コード読取画面をタッチスクリーン２１３に表示させ、そのコンテンツ提供者２に配布されたメッセージピースＭＰのコード３を読み取る（ステップＳ１１）。ここで図１６を参照すると、コンテンツ提供端末２０のタッチスクリーン２１３に表示されたコード読取画面５００が示されている。コード読取画面５００では、撮像装置（インカメラ２０３ａやアウトカメラ２０３ｂ）による撮像映像が表示される撮像映像表示エリア５０１が配置される。
【０１６３】
ここで、コンテンツ提供者２は、撮像映像表示エリア５０１に、コード３が表示されるようにコンテンツ提供端末２０の位置（撮像装置の位置）を調整する。コンテンツ提供端末２０の撮像制御部２５１は、コード３を読み取ることができると、自動的にコード読取画面５００に、コード３の読み取りが完了した旨のメッセージを表示し、その後、デコード部２５２によって、読み取ったコード３をデコードする（ステップＳ１２）。
【０１６４】
コード３のデコード結果は、例えば、コンテンツ管理サーバ４０のアドレスを含むＵＲＬとメッセージピースＭＰを識別するコンテンツＩＤであり、コンテンツ提供端末２０のアクセス制御部２５３は、読み取ったコード３をデコードした後、コンテンツＩＤをＵＲＬパラメータにセットし、当該ＵＲＬでコンテンツ管理サーバ４０にアクセス（ＨＴＴＰリクエストを送信）する（ステップＳ１３）。
【０１６５】
こうした、コンテンツ提供端末２０の撮像制御部２５１、デコード部２５２、及びアクセス制御部２５３は、専用アプリケーションが行ってもよいが、既存のアプリケーションによって実現することもできる。
【０１６６】
コンテンツ管理サーバ４０のアクセス制御管理部４５１は、コンテンツ提供端末２０からＨＴＴＰリクエストを受信すると（ステップＳ１４）、ＵＲＬパラメータとして取得したコンテンツＩＤに基づいてコンテンツ管理テーブル４６１を参照し、そのコンテンツＩＤに対応するロック状態を確認する（ステップＳ１５）。
【０１６７】
ロック状態が登録可（「０」）である場合（ステップＳ１６のＹＥＳ）、コンテンツ管理サーバ４０のコンテンツ登録管理部４５２は、コンテンツ提供端末２０にコンテンツ登録画面を表示するためのＨＴＴＰレスポンスをコンテンツ提供端末２０に送信する（ステップＳ１７）。
【０１６８】
コンテンツ提供端末２０のコンテンツ登録制御部２５４は、コンテンツ管理サーバ４０からのＨＴＴＰレスポンス受信に応じて、コンテンツ提供端末２０のタッチスクリーン２１３に、コンテンツ登録画面を表示する（ステップＳ１８）。ここで図１７Ａを参照すると、コンテンツ提供端末２０のタッチスクリーン２１３に表示されたコンテンツ登録画面５１０が示されている。コンテンツ登録画面５１０には、「登録するコンテンツを指定してください」といったメッセージを表示するガイド部５１１、「写真又はビデオを挿入」と表示されたコンテンツ指定ボタン５１２、ユーザ入力ＩＤ入力エリア５１３、ＯＫボタン５１４、及びキャンセルボタン５１５が配置されている。
【０１６９】
コンテンツ提供者２が、コンテンツ登録画面５１０が表示された後、コンテンツ指定ボタン５１２をタッチすると、コンテンツ提供端末２０がこの指定を受信し（ステップＳ１９）、その後、コンテンツ提供者２が、所定のフォルダ（図５に示すコンテンツファイル記憶領域２６１）からコンテンツ４として登録するコンテンツを指示すると、コンテンツ提供端末２０がこの登録指示を受信する（ステップＳ２０）。
【０１７０】
次に、ＯＫボタン５１４をタッチすると、コンテンツ提供端末２０は、この指示を受信して、当該指示されたコンテンツ等をコンテンツ管理サーバ４０に送信する（ステップＳ２１）。
【０１７１】
なお、このとき、ユーザ入力ＩＤ入力エリア５１３に、コンテンツ提供者２を識別するためのメールアドレスやＳＮＳ−ＩＤを入力することができるが、場合によっては省略することもできる。また、コンテンツ登録画面５１０において、コンテンツ提供者２の名前、ニックネーム、メッセージなど、コンテンツ視聴端末３０のコンテンツ再生画面に表示させるテキスト情報を入力することもできる。
【０１７２】
コンテンツ管理サーバ４０のコンテンツ登録管理部４５２は、コンテンツ提供端末２０からコンテンツを受信すると、コンテンツデータ名を、対応するコンテンツＩＤのレコードに記憶（既に記憶されている場合は更新）し、それとともに、受信したコンテンツをコンテンツファイル記憶領域４６４に記憶する（ステップＳ２２）。
【０１７３】
次に、コンテンツ管理サーバ４０は、コンテンツ登録画面を表示させるためのデータをＨＴＴＰレスポンスとしてコンテンツ提供端末２０に送信する（ステップＳ２３）。コンテンツ提供端末２０のコンテンツ登録制御部２５４は、このＨＴＴＰレスポンスを受信すると、これに応じて、コンテンツ登録画面をタッチスクリーン２１３に表示する（ステップＳ２４）。ここで図１７Ｂを参照すると、コンテンツ提供端末２０のタッチスクリーン２１３に表示された登録完了画面５２０が示されている。登録完了画面５２０には、「コンテンツが登録されました」といったメッセージを表示するガイド部５２１と、コンテンツが登録されたコンテンツＩＤを示すコンテンツＩＤ表示部５２２が配置される。
【０１７４】
なお、コンテンツ提供者２は、登録完了画面５２０等において、登録されたコンテンツ４をプレビューして最終的な確認を行い、その後、確認ＯＫボタンをタッチしてコンテンツ４を登録するようにしてもよい。
【０１７５】
ロック状態が登録不可（「１」）である場合（ステップＳ１６のＮＯ）、コンテンツ管理サーバ４０のコンテンツ登録管理部４５２は、エラー画面を表示させるためのデータをＨＴＴＰレスポンスとしてコンテンツ提供端末２０に送信する（ステップＳ２５）。コンテンツ提供端末２０のコンテンツ登録制御部２５４は、このＨＴＴＰレスポンスを受信すると、これに応じて、エラー画面をタッチスクリーン２１３に表示する（ステップＳ２６）。ここで、エラー画面は、例えば、「ロックがされており、コンテンツの登録ができません」といったエラーメッセージを表示するものである。
【０１７６】
このように、コンテンツ提供者２は、それぞれ、自身が所持するコンテンツ提供端末２０を用いて、（ロック状態が登録不可でない限り）都合のよいタイミングでコンテンツ４を登録することができ、また、何度でもその登録をやり直すことができる。
【０１７７】
図１３は、コンテンツ視聴者６がコンテンツ視聴端末３０においてコンテンツ８を視聴する場合の処理手順を示した図である。
【０１７８】
最初に、コンテンツ視聴端末３０が、コンテンツ視聴者６の操作に応じて、コード読取画面をタッチスクリーンに表示させ、そのコンテンツ視聴者６の手元にあるメッセージボードＭＢのコード７を読み取る（ステップＳ３１）。コード読取画面は、図１６に示した、コンテンツ提供端末２０のタッチスクリーン２１３に表示されたコード読取画面５００と同様の画面である。
【０１７９】
ここで、コンテンツ視聴者６は、撮像映像表示エリア５０１に、コード７が表示されるようにコンテンツ視聴端末３０の位置（撮像装置の位置）を調整する。コンテンツ視聴端末３０の撮像制御部３５１は、コード７を読み取ることができると、自動的にコード読取画面に、コード７の読み取りが完了した旨のメッセージを表示し、その後、デコード部３５２によって、読み取ったコード７をデコードする（ステップＳ３２）。
【０１８０】
コード７のデコード結果は、例えば、コンテンツ管理サーバ４０のアドレスを含むＵＲＬとメッセージボードＭＢを識別するボードＩＤであり、コンテンツ視聴端末３０のアクセス制御部３５３は、読み取ったコード７をデコードした後、ボードＩＤをＵＲＬパラメータにセットし、当該ＵＲＬでコンテンツ管理サーバ４０にアクセス（ＨＴＴＰリクエストを送信）する（ステップＳ３３）。
【０１８１】
こうした、コンテンツ視聴端末３０の撮像制御部３５１、デコード部３５２、及びアクセス制御部３５３は、専用アプリケーションが行ってもよいが、既存のアプリケーションによって実現することもできる。
【０１８２】
コンテンツ管理サーバ４０のアクセス制御管理部４５１は、コンテンツ視聴端末３０からＨＴＴＰリクエストを受信すると（ステップＳ３４）、コンテンツ管理サーバ４０の再生リスト生成部４５３は、ＵＲＬパラメータとして取得したボードＩＤに基づいてコンテンツ管理テーブル４６１を参照し、そのボードＩＤに対応するコンテンツＩＤに関連付けられて登録されたコンテンツデータ名を取得し、さらに、取得されたコンテンツデータ名に対応するコンテンツ（すなわち、コンテンツ提供者２から登録された複数のコンテンツ４）を連続的に再生するよう定義した再生リストを生成する（ステップＳ３５）。
【０１８３】
なお、そのボードＩＤに対応するコンテンツＩＤに関連付けられたコンテンツデータ名が１つもない場合は、コンテンツ提供者２のすべてがコンテンツ４を登録していない状態であり、コンテンツ８の再生ができない旨のメッセージをコンテンツ視聴端末３０に表示させるよう制御する。また、当該メッセージの代わりに、デモ画像、サンプル画面、広告画面等を再生するよう、コンテンツ視聴端末３０に対してＨＴＴＰレスポンスを返すよう制御することもできる。
【０１８４】
次に、コンテンツ管理サーバ４０のコンテンツ再生管理部４５４は、コンテンツ視聴端末３０にコンテンツ再生画面を表示するためのＨＴＴＰレスポンスをコンテンツ視聴端末３０に送信する（ステップＳ３６）。なお、ここでは、コンテンツ視聴端末３０におけるコンテンツ８の再生を制御するために、ステップＳ３５で生成された再生リストの内容も送信される。
【０１８５】
コンテンツ視聴端末３０のコンテンツ再生制御部３５４は、コンテンツ管理サーバ４０からのＨＴＴＰレスポンス受信に応じて、コンテンツ視聴端末３０のタッチスクリーンに、コンテンツ再生画面を表示する（ステップＳ３７）。ここで図１８を参照すると、コンテンツ視聴端末３０のタッチスクリーンに表示されたコンテンツ再生画面５３０が示されている。コンテンツ再生画面５３０には、サムネイル表示エリア５３１、コンテンツ画像表示エリア５３２、再生位置表示バー５３３、再生時間表示エリア５３４、及び、再生等指示ボタン表示エリア５３５が配置されている。
【０１８６】
サムネイル表示エリア５３１は、コンテンツ８を構成するコンテンツ４のそれぞれに対応するサムネイル（代表画像等）が、表示され、１つのサムネイルをタッチすると、そのサムネイルに対応するコンテンツ４以降のコンテンツの再生が開始される。コンテンツ４のサムネイルは、例えば、メッセージピースに付与された番号順に並べて表示されるが、コンテンツ提供者２からコンテンツ４の登録がない場合、その位置のコンテンツ４に係るサムネイルは表示されず、次のコンテンツ４のサムネイルが詰めて表示される。
【０１８７】
また、サムネイル表示エリア５３１には、すべてのコンテンツ４に関するサムネイルが表示されているとは限らず、コンテンツ４の数が多い場合、コンテンツ視聴者６は、サムネイル表示エリア５３１をスワイプ等することによって非表示となっているコンテンツ４のサムネイルを表示させ、選択することができる。
【０１８８】
コンテンツ画像表示エリア５３２には、再生されるコンテンツ８の画像が表示される。再生位置表示バー５３３には、現在の再生位置が、所定のマーク（ここでは、丸形のマーク）によって示されている。このような再生位置は、コンテンツ８の全体における現在位置でもよいし、それぞれのコンテンツ４における現在位置を表すものであってもよい。再生時間表示エリア５３４には、現在の再生位置における現在時間とコンテンツ４の合計時間が示されている。上記の現在時間は、コンテンツ８の全体における現在時間でもよいし、それぞれのコンテンツ４における現在時間を表すものであってもよい。これに対応して、コンテンツの合計時間は、コンテンツ８の全体における合計時間でもよいし、それぞれのコンテンツ４における合計時間を表すものであってもよい。
【０１８９】
再生位置表示バー５３３と再生時間表示エリア５３４が、それぞれのコンテンツ４に関する再生位置と時間を表す場合、コンテンツ８の再生に伴ってコンテンツ４が切り替えられると、その時点でリセットされ、再生位置表示バー５３３のマークは左端に配置され、再生時間表示エリア５３４においては、現在時間がゼロにセットされ、合計時間には、切り替えられたコンテンツ４の合計時間がセットされる。
【０１９０】
再生等指示ボタン表示エリア５３５は、この例では、コンテンツ８の再生等（共有等、早戻し、再生／一時停止、早送り、音声ＯＮ／ＯＦＦ）を指示するための再生等指示ボタン表示エリア５３５が配置されている。共有等ボタンをタッチすると、ＳＮＳ等での共有や不適切なコンテンツを通報するためのボタンを含むボタンメニューが表示される。再生／一時停止ボタンは、再生又は一時停止を指示するボタンであり、タッチされるたびに、再生ボタンと一時停止ボタンが交互に表示され選択可能となる。音声ＯＮ／ＯＦＦボタンは、再生されるコンテンツ８の音声をＯＮ／ＯＦＦするためのボタンであり、タッチされるたびに、音声ＯＮボタンと音声ＯＦＦボタン（例えば、音声ＯＮボタンをグレースケール表示としたボタン）が交互に表示され選択可能となる。
【０１９１】
その後、コンテンツ視聴端末３０のコンテンツ再生制御部３５４は、コンテンツ管理サーバ４０から受信した再生リストに従って、動画、静止画、音声等を指定された順序・タイミングで再生するために、動画プレーヤといったコンテンツ再生アプリケーションの起動や制御を行う（ステップＳ３８）。
【０１９２】
なお、この例では、コンテンツ視聴端末３０で再生されるコンテンツ８が、コンテンツ管理サーバ４０から全体として一気にダウンロードして再生するのではなく、例えば、コンテンツ提供者２が登録したコンテンツ４の単位で、その再生タイミングに応じて個別に受信し再生する（ステップＳ３９）。
【０１９３】
より具体的には、コンテンツ視聴端末３０が、コンテンツ視聴のために最初にコンテンツ管理サーバ４０にアクセスしたときに、最初の２つのコンテンツ（すなわち、オープニングムービーと、その次のコンテンツ（ムービー））までバッファしており、それ以降は、視聴中のコンテンツ４と、その前後のコンテンツ４をバッファするよう制御している。このような構成により、ファイルが異なる動画を、再生、早戻し、又は早送りの操作に対して、途切れることなく、コンテンツ画像表示エリア５３２に表示させることができる。ただし、このような再生制御方法は、一例に過ぎず、他の様々な方法を採用することができる。
【０１９４】
また、ここでは、コンテンツ再生制御部３５４が、動画、静止画、音声等の再生を、既存のアプリケーションで行うよう制御するが、専用アプリケーションによって再生するようにもできる。
【０１９５】
また、この例では、ステップＳ３７で、図１８に示すコンテンツ再生画面５３０が表示された後すぐに、再生リストに従ったコンテンツ８の再生が行われるが、コンテンツ再生画面５３０が表示された後、コンテンツ視聴者６が、コンテンツ視聴端末３０で所定の操作（例えば、視聴パスワードの入力や、再生ボタン・特別なスタートボタンのタッチ等）を行った場合に、コンテンツ８の再生を開始するよう制御してもよい。
【０１９６】
このように、コンテンツ視聴者６は、メッセージボードＭＢを受領した後、そのメッセージボードＭＢに表示されているコード７を読み取ることによって、自身が都合のよいタイミングで容易に何度もコンテンツ８を再生することができる。また、上述したように、コンテンツ提供者２は、それぞれ、自身の都合のよいタイミングでコンテンツ４を登録することができるので、図１１Ａ、図１１Ｂに示したように、コンテンツ視聴者６がコンテンツ８を再生するタイミングによって、異なる内容のコンテンツ８を視聴することができる。
【０１９７】
また、コンテンツ視聴者６がコンテンツ８を視聴した場合に（例えば、すべてのコンテンツ８を視聴した後や、各コンテンツの再生の間等に）、マーケティング等を目的として、自動的に所定のＳＮＳやＷＥＢを表示するよう制御することもできる。このような制御は、ユーザ管理テーブル４６３に、コンテンツ視聴者６ごとに誘導先となるＳＮＳやＷＥＢ等のアドレス（又は、誘導先を識別するコード等）を記憶しておき、誘導先のＳＮＳやＷＥＢ等を表示するタイミングで、当該アドレスを読み取り（誘導先を識別するコードを読み取った場合は、そのコードに対応する誘導先のアドレスを別のテーブル等から取得し）、そのアドレスに自動的にアクセスして、ＳＮＳやＷＥＢ等の画面をコンテンツ視聴端末３０に表示させる。
【０１９８】
さらに、コンテンツ視聴端末３０に表示されたＳＮＳやＷＥＢ等の画面において、コンテンツ視聴者６が、所定の操作を行った場合に（例えば、「いいね」ボタンをタッチした場合に）、コンテンツ視聴端末３０において特定の処理が可能とする（例えば、再度、コンテンツ視聴端末３０においてコンテンツ８を視聴可能とする）よう制御することができる。
【０１９９】
なお、図１３に示すコンテンツ８の視聴処理手順では、コード７をコンテンツ視聴端末３０で読み取った場合に、複数のコンテンツ４から構成されるコンテンツ８を視聴することができるが、単独のコンテンツ４に係るコード３をコンテンツ視聴端末３０で読み取った場合には、読み取ったコード３に対応するコンテンツ４を再生することができるように制御することもできる。
【０２００】
図１４は、コンテンツ管理サーバ４０が、事前に再生リストを生成しておく場合の処理手順を示した図である。
【０２０１】
この処理は、所定の時間間隔で起動されうる。起動後、最初に、コンテンツ管理サーバ４０の再生リスト生成部４５３は、コンテンツ管理テーブル４６１を参照して、ボードＩＤごとに対応するコンテンツＩＤに関連付けられたコンテンツに関する登録日時を確認する（ステップＳ５１）。ここで、それぞれの登録日時が、前回起動時から更新されているか否かを判定し、すなわち、前回起動時からコンテンツの新たな登録が行われたか否かを判定し（ステップＳ５２）、新たな登録がない場合（ステップＳ５２のＮＯ）、当該処理を終了する。
【０２０２】
新たな登録がある場合（ステップＳ５２のＹＥＳ）、必要に応じて、オープニングムービー、エンディングムービー、ＢＧＭ等に関する情報を取得する（ステップＳ５３）。こうした、再生リストの生成に係るデフォルト情報は、例えば、コンテンツ管理サーバ４０の外部記憶装置４６０に予め記憶されている。
【０２０３】
次に、再生リスト生成部４５３は、コンテンツ管理テーブル４６１を参照して、新たな登録があったコンテンツに係るボードＩＤについて、コンテンツ４の再生順を取得する（ステップＳ５４）。その後、再生リスト生成部４５３は、ステップＳ５３で取得した、オープニングムービー、エンディングムービー、ＢＧＭ等に関する情報と、ステップＳ５４で取得したコンテンツ４の再生順に基づいて、再生リストを生成する（ステップＳ５５）。この場合、再生リストは新規に生成される場合もあるし、（コンテンツ４が他のコンテンツ提供者２から追加されたような場合には）再作成される場合もある。
【０２０４】
次に、再生リスト生成部４５３は、生成された（再作成された）再生リストの名称を再生リストテーブル４６２に記憶し、再生リスト自体は、再生リスト記憶領域４６５に記憶する（ステップＳ５６）。
【０２０５】
図１５は、コンテンツ視聴者６がコンテンツ視聴端末３０においてコンテンツ８を視聴する場合の処理手順を示した図であり、図１４に示す処理によって、コンテンツ管理サーバ４０により、再生リストが事前に生成されている場合の処理手順を示すものである。
【０２０６】
図１５のステップＳ７１〜ステップＳ７４は、図１３のステップＳ３１〜ステップＳ３４と同様の処理である。
【０２０７】
コンテンツ管理サーバ４０のアクセス制御管理部４５１は、コンテンツ視聴端末３０からＨＴＴＰリクエストを受信すると（ステップＳ７４）、コンテンツ管理サーバ４０のコンテンツ再生管理部４５４は、ＵＲＬパラメータとして取得したボードＩＤに基づいて再生リストテーブル４６２を参照し、そのボードＩＤに対応する再生リスト名を取得する（ステップＳ７５）。
【０２０８】
ここで、コンテンツ管理サーバ４０のコンテンツ再生管理部４５４は、ボードＩＤに対応する再生リストが存在するか否かを判定し（ステップＳ７６）、再生リストがある場合（ステップＳ７６のＹＥＳ）、コンテンツ視聴端末３０にコンテンツ再生画面を表示するためのＨＴＴＰレスポンスをコンテンツ視聴端末３０に送信する（ステップＳ７７）。なお、ここでは、コンテンツ視聴端末３０におけるコンテンツ８の再生を制御するために、図１４に示す処理によって、事前に生成された再生リストの内容も送信される。
【０２０９】
コンテンツ視聴端末３０のコンテンツ再生制御部３５４は、コンテンツ管理サーバ４０からのＨＴＴＰレスポンス受信に応じて、コンテンツ視聴端末３０のタッチスクリーンに、コンテンツ再生画面を表示する（ステップＳ７８）。コンテンツ再生画面は、図１８に関連して上記で説明した通りである。
【０２１０】
その後、コンテンツ視聴端末３０のコンテンツ再生制御部３５４は、コンテンツ管理サーバ４０から受信した再生リストに従って、動画、静止画、音声等を指定された順序・タイミングで再生するために、動画プレーヤといったコンテンツ再生アプリケーションの起動や制御を行う（ステップＳ７９）。
【０２１１】
なお、この例では、コンテンツ視聴端末３０で再生されるコンテンツ８が、コンテンツ管理サーバ４０から全体として一気にダウンロードして再生するのではなく、例えば、コンテンツ提供者２が登録したコンテンツ４の単位で、その再生タイミングに応じて個別に受信し再生する（ステップＳ８０）。また、ここでは、コンテンツ再生制御部３５４が、動画、静止画、音声等の再生を、既存のアプリケーションで行うよう制御するが、専用アプリケーションによって再生するようにもできる。
【０２１２】
ステップＳ７６において、再生リストがないと判定された場合は（ステップＳ７６のＮＯ）、コンテンツ提供者２のすべてがコンテンツ４を登録していない状態であり、コンテンツ８の再生ができないことを示している。このため、コンテンツ視聴者６に、コンテンツ８の再生ができないことを知らせるメッセージやデモ画面等を表示するためのＨＴＴＰレスポンスを、コンテンツ視聴端末３０に送信する（ステップＳ８１）。
【０２１３】
コンテンツ視聴端末３０のコンテンツ再生制御部３５４は、コンテンツ管理サーバ４０から、こうしたＨＴＴＰレスポンスを受信すると、これに応じて、対応するメッセージやデモ画面をコンテンツ視聴端末３０のタッチスクリーンに表示する（ステップＳ８２）。
【０２１４】
次に、本発明の第２実施形態に係るコンテンツ管理システムの概要を、図１９を参照して説明する。図１９に示すコンテンツ管理システム１００１は、コンテンツ管理サーバ１０４０を含み、複数のコンテンツ提供者１００２（１００２ａ、１００２ｂ・・・）の操作に応じて、それぞれのコンテンツ提供端末１０２０（１０２０ａ、１０２０ｂ・・・）からコンテンツ１００４（１００４ａ、１００４ｂ・・・）を受信し、これらのコンテンツ１００４に基づいて構成されるコンテンツ１００８が、コンテンツ管理者１００５によってチェック・編集等され、こうしてチェック・編集等されたコンテンツ１００８’が、コンテンツ視聴者１００６の操作に応じて、コンテンツ視聴端末１０３０で視聴される。
【０２１５】
このようなシステムが利用される典型的なシーンは、退職する会社の同僚に対して寄せ書きを贈る場面であったり、結婚する友人宛てにお祝いのメッセージを送る場面であったりする。この場合、一般的に、コンテンツ提供者１００２は複数であるのに対し、コンテンツ視聴者１００６は１人、又は２人である。また、ここでは、（通常は）１人のコンテンツ管理者１００５が配置される。
【０２１６】
上述したコンテンツ管理システム１００１の仕組みには、メッセージセットＭＳ’が関与する。例えば、メッセージセットＭＳ’は、図１９に示すように、１つのメッセージボードＭＢ’と、複数（ここでは、６個）のメッセージピースＭＰ’を含んでいる。メッセージボードＭＢ’は、例えば、いわゆる色紙や、板状の紙製・木製ボードである。
【０２１７】
メッセージピースＭＰ’（ＭＰａ’、ＭＰｂ’・・・）は、図１９の例では、１枚のシート状の形態（メッセージシート）で提供され、例えば、ミシン目等に沿って切り離すことにより、それぞれのメッセージピースとして分離することができる。メッセージピースＭＰ’の表面は、コンテンツ提供者１００２が手書きメッセージ等を記入できる記入面を有した記入部となっている。各メッセージピースＭＰ’の裏面には、個々のメッセージピースＭＰ’に対応するコード１００３（１００３ａ、１００３ｂ・・・）が表示されている。コード１００３は、図１９の例では、ＱＲコード（登録商標）のような２次元コードである。
【０２１８】
それぞれのメッセージピースＭＰ’は、裏面をはがすとシール面を有したシール部が表出し、このシール部によって、メッセージピースＭＰ’をメッセージボードＭＢ’に貼付できるようになっている。また、メッセージボードＭＢ’の表面には、コード１００７が表示されている。コード１００７は、図１９の例では、コード１００３と同様の２次元コードである。
【０２１９】
次に、コンテンツ提供者１００２によるコンテンツ提供方法の例を、より具体的に説明する。最初に、上記のメッセージシートを切り離して、そのなかの１つのメッセージピースＭＰａ’がコンテンツ提供者１００２ａに手渡される。そのほか、残りの５個のメッセージピースＭＰ’が、それぞれ異なる５人のコンテンツ提供者１００２に渡される。
【０２２０】
まず、コンテンツ提供者１００２ａは、そのメッセージピースＭＢａ’の記入部に、相手（すなわち、コンテンツ視聴者１００６）に対するメッセージを記入する。この場合、相手は、例えば、退職する会社の同僚であったり、結婚する友人であったりする。
【０２２１】
その後、コンテンツ提供者１００２ａは、手書きメッセージが記入されたメッセージピースＭＰａ’を、コンテンツ管理者１００５に渡す。
【０２２２】
この時、コンテンツ提供者１００２ａの手元にメッセージボードＭＢ’があれば、コンテンツ提供者１００２ａ自身が、メッセージピースＭＰａ’の裏面をはがしてシール部を露出させ、そのメッセージピースＭＰａ’をメッセージボードＭＢ’に貼り付けてもよい。例えば、最初にコンテンツ提供者１００２ａが、メッセージセットＭＳ’（メッセージボードＭＢ’と、メッセージピースＭＰａ’を含むメッセージシート）を受け取り、自身の分としてメッセージピースＭＰａ’をメッセージシートから切り離し、そこにメッセージを記入してメッセージボードＭＢ’に貼付し、その後、メッセージボードＭＢ’と残りのメッセージピースＭＰ’が含まれるメッセージシートを次のコンテンツ提供者１００２に渡すようにすることができる。このように、メッセージボードＭＢ’とメッセージシートを順に手渡して複数の人が順に手書きメッセージを貼付してゆく運用は、従来の「寄せ書き」の手順に近いものである。
【０２２３】
さらに、コンテンツ提供者１００２ａは、メッセージピースＭＰａ’の裏面に表示されているコード１００３ａをコンテンツ提供端末１０２０ａで読み取り、コンテンツ提供端末１０２０ａのディスプレイに、コンテンツ登録画面を表示させる。ここで、コンテンツ提供者１００２ａは、コンテンツ視聴者１００６に視聴させる動画等のコンテンツ１００４ａを指定する。コンテンツ提供端末１０２０ａは、例えば、コンテンツ提供者１００２ａが所有する、スマートフォン等のカメラ付き携帯機器である。
【０２２４】
コンテンツ提供者１００２ｂもコンテンツ提供者１００２ａと同様に、手書きメッセージの記入とコンテンツの提供を行う。すなわち、上記のメッセージシートが切り離され、そのなかの１つのメッセージピースＭＰｂ’がコンテンツ提供者１００２ｂに手渡される。コンテンツ提供者１００２ｂは、そのメッセージピースＭＰｂ’の記入部に、相手（すなわち、コンテンツ視聴者１００６）に対するメッセージを記入する。
【０２２５】
その後、コンテンツ提供者１００２ｂは、手書きメッセージが記入されたメッセージピースＭＰｂ’を、コンテンツ管理者１００５に渡す。この時、コンテンツ提供者１００２ｂの手元にメッセージボードＭＢ’があれば、コンテンツ提供者１００２ｂ自身が、メッセージピースＭＰｂ’の裏面をはがしてシール部を露出させ、そのメッセージピースＭＰｂ’をメッセージボードＭＢ’に貼り付けてもよい。
【０２２６】
なお、図１９の例では、便宜上、６人のコンテンツ提供者１００２が存在するものとしたが（３〜６人目のコンテンツ提供者１００２ｃ〜１００２ｆは省略）、コンテンツ提供者１００２は何人でもよい。ただし、コンテンツ提供者１００２の人数に対応する数のメッセージピースＭＰ’を含んだメッセージシートが必要となる。また、コンテンツ管理者１００５は、基本的に１人であるが、複数人設定してもよい。
【０２２７】
さらに、コンテンツ提供者１００２ｂは、メッセージピースＭＰｂ’の裏面に表示されているコード１００３ｂをコンテンツ提供端末１０２０ｂで読み取り、コンテンツ提供端末１０２０ｂのディスプレイに、コンテンツ登録画面を表示させる。ここで、コンテンツ提供者１００２ｂは、コンテンツ視聴者１００６に視聴させる動画等のコンテンツ１００４ｂを指定する。
【０２２８】
次に、コンテンツ管理者１００５によるコンテンツ管理方法の例を、より具体的に説明する。コンテンツ管理者１００５は、コンテンツ提供者１００２から登録されたコンテンツ１００４のそれぞれや、これらに基づいて構成されるコンテンツ１００８をチェックし、必要に応じて編集を行う。また、コンテンツの視聴可能タイミング等、コンテンツ視聴に関する様々な設定を行うこともできる。そして、それぞれのコンテンツ提供者１００２から、手書きメッセージの記入されたメッセージピースＭＰ’を受領し、それらをメッセージボードＭＢ’に貼付する。
【０２２９】
ここで、コンテンツ管理者１００５は、メッセージボードＭＢ’に表示されているコード１００７をコンテンツ管理端末１０５０で読み取り、コンテンツ管理端末１０５０のディスプレイに、コンテンツ管理画面を表示させる。
【０２３０】
コンテンツ管理者１００５は、コンテンツ管理画面から、コンテンツ１００８（複数のコンテンツ１００４）のチェックを行い、必要に応じて編集等の操作を行うが、詳細については後述する。
【０２３１】
また、コンテンツ管理者１００５は、この例では、コード１００７を読み取ることでコンテンツ１００８のチェック・編集等が行えるようにしたが、別途、管理者パスワードの入力を要求するようにできる。例えば、メッセージセットＭＳ’のなかに、管理者パスワードを記入したカードが別途同梱される。
【０２３２】
また、コンテンツ管理者１００５は、コンテンツ提供者１００２として、コンテンツ１００４を登録できるようにしてもよく、コンテンツ管理端末１０５０は、コンテンツ提供端末１０２０としても機能する。この場合、メーセージピースＭＰ’の１つが、コンテンツ管理者・コンテンツ提供者兼用のメッセージピースＭＰ’として構成され、コンテンツ管理者１００５は、このメッセージピースＭＰ’のコード１００３を読み取って、コンテンツ管理システム１００１にログインすることができる。また、ここで、上記のように、管理者パスワードの入力を要求するようにできる。
【０２３３】
コンテンツ管理者１００５は、すべてのコンテンツ提供者１００２のメッセージピースＭＰ’をメッセージボードＭＢ’に貼付すると、そのメッセージボードＭＢ’を、コンテンツ視聴者１００６に手渡しする。なお、このような、メッセージピースＭＰ’の貼付と、メッセージボードＭＢ’の手渡しは、コンテンツ管理者１００５以外の者が行うようにすることもできる。
【０２３４】
また、コンテンツ提供者１００２から登録されたコンテンツ１００４は、図１９に示すように、別途、場内スクリーン（例えば、結構式場や他の施設のスクリーン）、ＷＥＢサイト、ＳＮＳ等に、コンテンツ管理者１００５のチェック・編集等を経て公開することができる。
【０２３５】
次に、コンテンツ視聴者１００６によるコンテンツ視聴方法の例を、より具体的に説明する。コンテンツ視聴者１００６は、コンテンツ提供者１００２がそれぞれ手書きでメッセージを記入したメッセージピースＭＰ’の貼付されたメッセージボードＭＢ’を、コンテンツ管理者１００５等から受け取る。このメッセージボードＭＢ’には、複数の人の手書きメッセージが表示され、まさに、「寄せ書き」と同じ態様となっている。
【０２３６】
その後、コンテンツ視聴者１００６は、メッセージボードＭＢ’に表示されているコード７をコンテンツ視聴端末１０３０で読み取り、コンテンツ視聴端末１０３０のディスプレイに、コンテンツ視聴画面を表示させる。ここで、コンテンツ視聴者１００６は、コンテンツ管理サーバ１０４０から送信されてくるコンテンツ１００８’を視聴することができる。コンテンツ視聴端末１０３０は、例えば、コンテンツ視聴者１００６が所有する、スマートフォン等のカメラ付き携帯機器である。
【０２３７】
コンテンツ１００８’は、コンテンツ提供者１００２（１００２ａ、１００２ｂ・・・）から提供されたコンテンツ１００４（１００４ａ、１００４ｂ・・・）に基づいて構成されるコンテンツであって、コンテンツ管理者１００５によってチェック・編集等がされたコンテンツである。例えば、登録されたコンテンツ１００４が、所定の様式で連結され、その後、コンテンツ管理者１００５によってチェック・編集等が施されたコンテンツとなっている。
【０２３８】
コンテンツ１００８’は、コンテンツ管理サーバ１０４０で事前に生成されていてもよいし、コンテンツ視聴者１００６が視聴する際に、コンテンツ管理者１００５による設定に基づいて適宜編集等されて配信されるように構成してもよい。
【０２３９】
このように、メッセージボードＭＢ’には、コンテンツ提供者１００２の手書きメッセージが記入されたメッセージピースＭＰ’が貼付され、一方で、それぞれのコンテンツ提供者１００２からコンテンツ１００４がコンテンツ管理サーバ１０４０に登録されるため、コンテンツ視聴者１００６は、物理的媒体であるメッセージボードＭＢ’と、電子的媒体であるコンテンツ１００８’をともに目にすることができる。
【０２４０】
そのため、コンテンツ視聴者１００６は、従来の手書きによる「寄せ書き」による風情や情緒を感じつつも、これに加えて、コンテンツ提供者１００２がそれぞれ登録した電子的なコンテンツ１００８’を、メッセージボードＭＢ’に表示されたコード１００７を用いて、容易に視聴することができる。
【０２４１】
また、コンテンツ管理者１００５は、コンテンツ視聴者１００６がコンテンツ１００８’を視聴する前にコンテンツ１００８をチェックし、編集等を行うことができるので、適切でないコンテンツなどを容易に修正・排除することができる。
【０２４２】
なお、図１９に示す例では、未記入のメッセージピースＭＰ’はコンテンツ提供者１００２に手渡しされ、コンテンツ提供者１００２によってメッセージが記入されたメッセージピースＭＰ’はコンテンツ管理者１００５に手渡しされ、さらに、メッセージボードＭＢ’は、コンテンツ管理者１００５からコンテンツ視聴者１００６に手渡しされるように示したが、必要に応じて、郵便や宅配便といった他の手段を用いて対象物を相手に届けることができる。
【０２４３】
次に、図２０ないし図２２を参照して、本発明の第２実施形態に係るコンテンツ管理システム１００１におけるコンテンツ管理処理について説明する。なお、図２０は、コンテンツ管理処理に関する手順を説明するためのフローチャートであり、コンテンツ管理端末１０５０、及びコンテンツ管理サーバ１０４０の処理が、それぞれ時間の経過とともに表されている。
【０２４４】
図２０では、最初に、コンテンツ管理端末１０５０が、例えば、図２１Ａに示すコンテンツ管理アプリＴＯＰ画面６１０で、スキャンボタン６１１をタッチするようなコンテンツ管理者１００５の操作に応じて、コード読取画面をタッチスクリーンに表示させ、コンテンツ管理者１００５が受領したメッセージボードＭＢ’のコード１００７を読み取る（ステップＳ９１）。ここで図２１Ｂを参照すると、コンテンツ管理端末１０５０のタッチスクリーンに表示されたコード読取画面６２０が示されている。コード読取画面６２０では、コンテンツ管理端末１０５０の撮像装置による撮像映像が表示される撮像映像表示エリア６２１が配置される。
【０２４５】
ここで、コンテンツ管理者１００５は、撮像映像表示エリア６２１に、コード１００７が表示されるようにコンテンツ管理端末１０５０の位置（撮像装置の位置）を調整する。コンテンツ管理端末１０５０の撮像制御部は、コード１００７を読み取ることができると、自動的にコード読取画面６２０に、コード１００７の読み取りが完了した旨のメッセージを表示し、その後、デコード部によって、読み取ったコード１００７をデコードする（ステップＳ９２）。
【０２４６】
コード１００７のデコード結果は、例えば、コンテンツ管理サーバ１０４０のアドレスを含むＵＲＬとメッセージボードＭＢ’を識別するボードＩＤであり、コンテンツ管理端末１０５０のアクセス制御部は、読み取ったコード１００７をデコードした後、ボードＩＤをＵＲＬパラメータにセットし、当該ＵＲＬでコンテンツ管理サーバ１０４０にアクセス（ＨＴＴＰリクエストを送信）する（ステップＳ９３）。
【０２４７】
コンテンツ管理サーバ１０４０のアクセス制御管理部は、コンテンツ管理端末１０５０からＨＴＴＰリクエストを受信すると（ステップＳ９４）、ＵＲＬパラメータとして取得したボードＩＤに基づいてコンテンツ管理テーブルを参照し、そのボードＩＤに対応するコンテンツＩＤに関連付けられて登録されたコンテンツデータ名を取得し、さらに、取得されたコンテンツデータ名に対応するコンテンツ（すなわち、コンテンツ提供者１００２から登録された複数のコンテンツ１００４）を連続的に再生するよう定義した再生リストを生成する（ステップＳ９５）。
【０２４８】
なお、コンテンツ管理サーバ１０４０のアクセス制御管理部は、コンテンツ管理端末１０５０からＨＴＴＰリクエストを受信した場合に、必要に応じて、コンテンツ管理者１００５に管理者用パスワードを入力させるためのポップアップ画面をコンテンツ管理端末１０５０のタッチスクリーンに表示させるよう制御することができる。管理者用パスワードは、例えば、メッセージセットＭＳ’に含まれる管理者カードに記載されている。
【０２４９】
次に、コンテンツ管理サーバ１０４０は、コンテンツ管理端末１０５０にコンテンツ管理処理を行わせるように、ＨＴＴＰレスポンスをコンテンツ管理端末１０５０に送信する（ステップＳ９６）。なお、ここでは、コンテンツ管理端末１０５０におけるコンテンツ１００８の再生を制御するために、ステップＳ９５で生成された再生リストの内容も送信される。なお、第２実施形態における再生リストは、第１実施形態で説明した再生リストと同じ構成であるとは限らない。例えば、トランジションの設定がコンテンツ１００４ごとに設定可能となっていれば、それぞれのコンテンツに対応してトランジションを記憶しておく必要がある。
【０２５０】
コンテンツ管理端末１０５０は、コンテンツ管理サーバ１０４０からのＨＴＴＰレスポンス受信に応じて、コンテンツ管理端末１０５０のタッチスクリーンに、コンテンツ管理画面を表示する（ステップＳ９７）。ここで図２２Ａを参照すると、コンテンツ管理端末１０５０のタッチスクリーンに表示されたコンテンツ管理画面６３０が示されている。コンテンツ管理画面６３０には、コンテンツ管理者１００５によって選択されるコンテンツ管理メニュー６３１が配置されている。コンテンツ管理者１００５は、コンテンツ管理メニュー６３１に表示されたそれぞれの設定処理ボタンを選択することにより、当該選択された設定処理を実行することができる。
【０２５１】
コンテンツ管理端末１０５０は、コンテンツ管理者１００５から、こうした設定処理ボタンの選択や、これに続く操作を受信し（ステップＳ９８）、これに応じて、コンテンツ管理者１００５により設定された内容をコンテンツ管理データに記憶する（ステップＳ９９）。また、このときに、コンテンツ提供者１００２から提供されたコンテンツ１００４が更新されたり、ＢＧＭ自体が更新された場合は、それらのコンテンツを更新するよう、コンテンツ管理サーバ１０４０に指示を行う。また、コンテンツ１００４の再生順を変更したような場合には、再生リストが更新される。さらに、コンテンツ１００４に対するロック状態を変更したような場合には、当該情報を記憶するコンテンツ管理テーブルを更新するよう制御する。
【０２５２】
コンテンツ管理メニュー６３１には、この例では、動画設定、楽曲設定、素材設定、公開設定、視聴制限設定、管理者設定、及びメッセージの各設定処理ボタンが表示される。
【０２５３】
動画設定の設定処理ボタンを選択すると、コンテンツ管理端末１０５０のタッチスクリーンの表示は、図２２Ｂに示すような動画設定画面６４０に遷移し、そこで、子動画表示エリア６４１〜６４３と、再生される子動画の代表画像が、上から順（コード１００３の順）に表示される。このような、複数の子動画を順次再生することになる全体コンテンツを、ここではコンテンツ１００８とし、ここで説明する、コンテンツ管理者１００５によるコンテンツ管理処理によってチェック・編集等された全体コンテンツをコンテンツ１００８’とする。子動画は、コンテンツ提供者１００２によって登録されたそれぞれのコンテンツ１００４である。
【０２５４】
図２２Ｂに示すマーク６４５、マーク６４６は、子動画の間のトランジションを定義するためのものであり、コンテンツ管理者１００５が、このマークをタッチすると、当該マークが関係する子動画の切り替え方法が一覧表示され、そのなかから所望の切り替え方法を選択することができる。切り替え方法は、例えば、「ｃｒｏｓｓ  ｆａｄｅ」（デフォルトで設定済み）、「ｗｈｉｔｅｏｕｔ」、「ｎｏｎｅ（なし）」のなかから選択される。マーク６４５は、子動画表示エリア６４１に表示された子動画と、子動画表示エリア６４２に表示された子動画の切り替えにおける態様に関連するものであり、マーク６４６は、子動画表示エリア６４２に表示された子動画と、子動画表示エリア６４３に表示された子動画の切り替えにおける態様に関連するものである。
【０２５５】
子動画表示エリア６４１には、コンテンツ提供者１００２によって登録されたそれぞれのコンテンツ１００４が対応付けられており、コンテンツ管理者１００５は、子動画表示エリア６４１に表示された代表画面の上にオーバーラップして表示される子動画編集メニュー６４７を操作して、個々の子動画について編集等を行うことができる。また、子動画表示エリア６４２、６４３や、それ以降の子動画表示エリアは、スワイプ等の操作により、コンテンツ管理端末１０５０のタッチスクリーンの表示をスクロールさせることにより完全に表示することができ、これらに表示された子動画に関しても、子動画編集メニューから編集等を指示することができる。
【０２５６】
子動画表示エリア６４１に対する編集等は、子動画編集メニュー６４７に示されるように、「Ｐｒｅｖｉｅｗ」ボタン、「Ｅｄｉｔ」ボタン、「Ｄｅｌｅｔｅ」ボタン、「Ｒｅｐｌａｃｅ」ボタン、「Ｍｅｓｓａｇｅ」ボタンによる操作があるが、他の様々な編集やその他の操作を加えることができる。なお、こうした子動画編集メニュー６４７は、子動画表示エリア６４３等についても同様である。
【０２５７】
「Ｐｒｅｖｉｅｗ」ボタンをタッチすると、その動画を当該表示エリアで再生する。「Ｅｄｉｔ」ボタンをタッチすると、その動画を当該表示エリアで編集（例えば、各種エフェクト設定、部分カット、音声ＯＮ／ＯＦＦ等）することができる。「Ｄｅｌｅｔｅ」ボタンをタッチすると、その動画を削除し、（例えば、不適切な動画等を）コンテンツ視聴者１００６が視聴できないようにする。「Ｒｅｐｌａｃｅ」ボタンをタッチすると、その動画を、コンテンツ管理者１００５が指定する他の動画等に変更することができる。
【０２５８】
「Ｍｅｓｓａｇｅ」ボタンをタッチすると、メッセージ入力画面が表示され、そこでメッセージを入力することにより、コンテンツ管理者１００５から、その子動画を登録したコンテンツ提供者１００２に対してメッセージを送信することができる。例えば、コンテンツ管理者１００５が、コンテンツ提供者１００２に対して、コンテンツ１００４の作成のやり直しを指示したりすることができる。当該メッセージは、コンテンツ提供者１００２が、専用アプリケーションを用いている場合は、その専用アプリケーションによって通知され、そうでない場合は、例えば、メールアドレスやＳＮＳ−ＩＤ等を用いて通知される。
【０２５９】
図２２Ｂの子動画表示エリア６４２には、対応する子動画の代表画面が表示されておらず、これは、この順番で再生されるべきコンテンツ１００４がまだ登録されていないことを示している。この場合、子動画表示エリア６４２には、未登録動画メニュー６４８が配置され、そこで、「Ｉｍｐｏｒｔ」ボタンと「Ｍｅｓｓａｇｅ」ボタンが表示される。
【０２６０】
「Ｉｍｐｏｒｔ」ボタンをタッチすると、動画等を指定する画面が表示され、そこで、コンテンツ管理者１００５が動画等を指定すると、その再生位置に当該動画等を挿入することができる。こうして挿入される動画は、コンテンツ管理者１００５の動画等でもよいし、コンテンツ提供者１００２から依頼された、コンテンツ提供者１００２のコンテンツ１００４であってもよい。この処理には、例えば、その再生位置に対応するメッセージピースＭＰ’のコード１００３を入力することを条件とするようにもできる。
【０２６１】
「Ｍｅｓｓａｇｅ」ボタンをタッチすると、メッセージ入力画面が表示され、そこでメッセージを入力することにより、コンテンツ管理者１００５から、その子動画を登録すべきコンテンツ提供者１００２に対してメッセージを送信することができる。例えば、コンテンツ提供者１００２に対して、コンテンツ１００４の登録を促すようなメッセージや、代わりに動画等を登録した旨を表すメッセージを送信することができる。
【０２６２】
また、図２２Ｂに示す動画設定画面６４０では、複数の子動画（コンテンツ１００４）が、所定の再生順で上から下に配置されているが、コンテンツ管理者１００５は、この動画設定画面６４０において、子動画表示エリア６４１〜６４３等をドラッグして他の位置にドロップすることにより、子動画の再生順を適宜変更することができる。
【０２６３】
楽曲設定の設定処理ボタンをタッチすると、楽曲設定画面（不図示）が表示され、その画面で、コンテンツ管理システム１００１の管理機能で用意されている楽曲や、コンテンツ管理者１００５が保持する楽曲のなかから所望の楽曲を選択することができる。複数の子動画を順に再生するよう構成されたコンテンツ１００８では、デフォルトで所定の１曲が自動的に選択され挿入されるが、ここでは、上記のように、コンテンツ管理者１００５によって選択された楽曲に差し替えることができる。また、コンテンツ管理者１００５は、楽曲なしとすることもできるし、子動画（コンテンツ１００４）ごとに、その子動画に含まれる音声をそのまま出力するように指定することもできる。なお、コンテンツ視聴者１００６は、図１８に示すように、再生時にこれらの楽曲や音声の出力を停止するよう指示することができる。
【０２６４】
素材設定の設定処理ボタンをタッチすると、素材設定画面（不図示）が表示され、その画面で、コンテンツ１００８の最初に再生されるオープニングムービー、最後に再生されるエンディングムービーを指定することができる。これらの動画は、例えば、コンテンツ管理システム１００１の管理機能で用意されている動画や、コンテンツ管理者１００５が保持する動画のなかから所望の動画を選択することができる。コンテンツ管理者１００５がこうした指定をしない場合は、デフォルトのオープニングムービー、エンディングムービーが設定される。また、動画の縁を囲むフレームを指定することもできる。
【０２６５】
公開設定の設定処理ボタンをタッチすると、公開設定画面（不図示）が表示され、その画面で、コンテンツ管理者１００５によってチェック・編集等がされたコンテンツ１００８’の公開日時や公開終了日時を設定することができる。このような設定により、コンテンツ管理者１００５は、チェック・編集等が終わるまで、コンテンツ１００８’の公開を停止しておくなど、コンテンツ１００８’の公開タイミングを自在にコントロールすることができる。また、コンテンツ管理者１００５は、この公開設定画面において、即時公開停止を指示することもできる。
【０２６６】
視聴制限設定の設定処理ボタンをタッチすると、視聴制限設定画面（不図示）が表示され、その画面で、コンテンツ管理者１００５がパスワードを登録することができる。このようなパスワードを設定することにより、コンテンツ視聴者１００６は、メッセージボードＭＢ’のコード１００７を読み取るだけでなく、当該パスワードを入手して入力しなければ、コンテンツ１００８’を視聴することができない。コンテンツ管理者１００５は、このように、コンテンツ視聴者１００６を所定の範囲に絞り込むために、当該パスワードを利用することができる。また、コンテンツ管理者１００５は、この画面において、そのパスワードを削除することもできる。
【０２６７】
管理者設定の設定処理ボタンをタッチすると、管理者設定画面（不図示）が表示され、その画面で、コンテンツ管理者１００５に、この管理処理を行うための権限を与える管理パスワードを設定し、又は削除することができる。こうした管理パスワードを設定することにより、コンテンツ管理者１００５は、メッセージボードＭＢ’のコード１００７を読み取るだけでなく、当該パスワードを入手して入力しなければ、コンテンツ１００８のチェック・編集等を行うことができない。また、コンテンツ管理者１００５は、この管理者設定画面において、メッセージピースＭＰ’に対応付けられたコンテンツＩＤごとに、コンテンツ１００４の登録・更新をロックするか否かを設定・解除することができる。この設定は、例えば、図８Ａに示すようなコンテンツ管理テーブルのロック状態の値に反映され、ロックが設定されている場合（ロック状態の値が「１」である場合）、コンテンツ提供者１００２は、対応するコンテンツＩＤに対してコンテンツ１００４の登録や更新ができなくなる。
【０２６８】
メッセージの処理ボタンをタッチすると、メッセージ画面（不図示）が表示され、そこでメッセージを入力することにより、コンテンツ提供者１００２の全員、あるいは特定のグループに対して、一斉にメッセージの通知を行うことができる。例えば、完成したコンテンツ１００８’のＵＲＬ（視聴用ＵＲＬ）を通知することにより、コンテンツ提供者１００２が、当該ＵＲＬの情報を共有することができる。また、このメッセージ画面において、特定のコンテンツ提供者１００２やコンテンツ視聴者１００６に、個別にメッセージを送信することもできる。
【０２６９】
その他、図２２Aのコンテンツ管理画面６３０では図示しないが、コンテンツ提供者１００２によって登録されたそれぞれのコンテンツ１００４が、場内スクリーン、ＷＥＢ、ＳＮＳにおいて表示されるように自動的に配置される場合に、その状態を確認するためのメニューを表示することができる。コンテンツ管理者１００５は、当該メニューを選択して、それぞれのコンテンツ１００４の配置を調整したり、個別にプレビュー、編集、削除、置換、対応するコンテンツ１００４のコンテンツ提供者１００２へのメッセージ送信、表示されるコンテンツ１００４についてのメッセージ付与等を行ったりすることができる。さらに、場内スクリーン、ＷＥＢ、ＳＮＳにおける表示に関する各種設定を変更することもできる。
【０２７０】
コンテンツ管理端末１０５０は、コンテンツ管理者１００５によって、終了ボタン（不図示）等が選択されるまで、ステップＳ９８、及びステップＳ９９の処理を繰り返す（ステップＳ１００のＮＯ）。コンテンツ管理端末１０５０は、コンテンツ管理者１００５によって、終了ボタンが選択されると（ステップＳ１００のＹＥＳ）、コンテンツ管理データ等をコンテンツ管理サーバ１０４０に送信する（ステップＳ１０１）。
【０２７１】
コンテンツ管理サーバ１０４０は、コンテンツ管理端末１０５０からコンテンツ管理データ等を受信すると、必要に応じてデータ更新処理を行う。例えば、コンテンツ管理データを受信した場合は、そのコンテンツ管理データを、対応するボードＩＤに関連付けて記憶し、また、再生リストを受信した場合は、その再生リストを既存のものと置き換える（ステップＳ１０２）。
【０２７２】
図１９に示した、本発明の第２実施形態に係るコンテンツ提供端末１０２０、コンテンツ視聴端末１０３０、コンテンツ管理サーバ１０４０はそれぞれ、第１実施形態のコンテンツ提供端末２０、コンテンツ視聴端末３０、コンテンツ管理サーバ４０と同様の構成の装置である。また、本発明の第２実施形態に係る各テーブルは、第１実施形態と同様の構成のテーブルである。さらに、本発明の第２実施形態に係るコンテンツ管理端末１０５０は、第１実施形態のコンテンツ提供端末２０と同様の構成の装置である。
【０２７３】
また、上述したコンテンツ管理処理は、コンテンツ管理端末１０５０にインストールされた専用アプリケーションによって実行されるが、撮像制御部、デコード部、及びアクセス制御部の処理等は、既存のアプリケーションによって実現することもできる。
【０２７４】
またさらに、本発明の第２実施形態のコンテンツ登録処理は、上述した、第１実施形態のコンテンツ登録処理と同様であるが、コンテンツ視聴処理については、再生リストが、上記のようなコンテンツ管理者１００５の設定（コンテンツ管理データ）に基づいて生成され、さらに、視聴制御が、コンテンツ管理データ（例えば、公開設定や視聴制限設定等）を参照して行う点で差異がある。
【０２７５】
次に、本発明の第３実施形態に係るコンテンツ管理システムの概要を、図２３を参照して説明する。図２３に示すコンテンツ管理システム２００１は、コンテンツ管理サーバ２０４０を含み、複数のコンテンツ提供者２００２（２００２ａ、２００２ｂ・・・）の操作に応じて、それぞれのコンテンツ提供端末２０２０（２０２０ａ、２０２０ｂ・・・）からコンテンツ２００４（２００４ａ、２００４ｂ・・・）を受信し、これらのコンテンツ２００４に基づいて構成されるコンテンツ２００８が、コンテンツ管理者２００５によってチェック・編集等され、こうしてチェック・編集等されたコンテンツ２００８’が、コンテンツ視聴者２００６の操作に応じて、コンテンツ視聴端末２０３０で視聴される。
【０２７６】
このようなシステムが利用される典型的なシーンは、例えば、大規模なイベント会場や結婚式でスクリーンにビデオや写真等を表示する場面であったり、当該イベントや結婚式の後で、その様子を納めたビデオや写真等を、ＷＥＢやＳＮＳなどで表示する場面であったりする。この場合、一般的に、コンテンツ提供者２００２は数十、数百、数千といった規模の数であり、コンテンツ視聴者２００６も同等の数が予想される。また、ここでは、運営側や幹事という立場でのコンテンツ管理者２００５が配置される。
【０２７７】
上述したコンテンツ管理システム２００１の仕組みには、メッセージセットＭＳ’’が関与する。例えば、メッセージセットＭＳ’’には、図２３に示すように、複数（ここでは、６個）のコードピースＣＰを含んだコードシートが複数枚含まれる。
【０２７８】
コードピースＣＰ（ＣＰａ、ＣＰｂ・・・）は、図２３の例では、１枚のシート状の形態（コードシート）で提供され、例えば、ミシン目等に沿って切り離すことにより、それぞれのコードピースとして分離することができる。各コードピースＣＰの表面には、個々のコードピースＣＰに対応するコード２００３（２００３ａ、２００３ｂ・・・）が表示されている。コード２００３は、図２３の例では、ＱＲコード（登録商標）のような２次元コードである。
【０２７９】
メッセージセットＭＳ’’にはさらに、管理者コード２００３Ｘと視聴コード２００７が含まれる。管理者コード２００３Ｘは、例えば、コードピースＣＰとは別の紙片に、２次元コードで表示されうるが、１つのコードピースＣＰの裏面に、この管理者コード２００３Ｘを表示し、そのコードピースＣＰを、コンテンツ提供者２００２かつコンテンツ管理者２００５として機能させるものとすることもできる。
【０２８０】
一方、視聴コード２００７も、例えば、コードピースＣＰとは別の紙片に、２次元コードで表示されうるが、すべてのコードピースＣＰの裏面に、この視聴コード２００７を表示し、コンテンツ提供者のすべてがコンテンツ視聴者となりうるよう運用することもできる。また、後述するように、コンテンツ提供者２００２から提供されたコンテンツ２００４を、ＷＥＢやＳＮＳで表示、再生できるようにする場合は、この視聴コード２００７を、所定のＷＥＢページや会場内のスクリーン等に公開しておくこともできる。
【０２８１】
次に、コンテンツ提供者２００２によるコンテンツ提供方法の例を、より具体的に説明する。最初に、上記のコードシートを切り離して、そのなかの１つのコードピースＣＰａがコンテンツ提供者２００２ａに手渡される。そのほか、残りのコードピースＣＰが、それぞれ異なるコンテンツ提供者２００２に渡される。数百人、数千人といった規模のコンテンツ提供者２００２にコードピースＣＰを渡す場合、コードピースＣＰは予め分離され、コンテンツ提供者２００２が入場等の際に、そのコードピースＣＰを自身で受け取るような方法を採用することが望ましい。
【０２８２】
コンテンツ提供者２００２ａは、コードピースＣＰａに表示されているコード２００３ａをコンテンツ提供端末２０２０ａで読み取り、コンテンツ提供端末２０２０ａのディスプレイに、コンテンツ登録画面を表示させる。ここで、コンテンツ提供者２００２ａは、コンテンツ視聴者２００６に視聴させる動画等のコンテンツ２００４ａを指定し、そのコンテンツ２００４ａをコンテンツ管理サーバ２０４０に登録する。コンテンツ提供端末２０２０ａは、例えば、コンテンツ提供者２００２ａが所有する、スマートフォン等のカメラ付き携帯機器である。
【０２８３】
コンテンツ提供者２００２ｂもコンテンツ提供者２００２ａと同様に、コードピースＣＰｂを受け取り、コードピースＣＰｂに表示されているコード２００３ｂをコンテンツ提供端末２０２０ｂで読み取り、コンテンツ提供端末２０２０ｂのディスプレイに、コンテンツ登録画面を表示させる。ここで、コンテンツ提供者２００２ｂは、コンテンツ視聴者２００６に視聴させる動画等のコンテンツ２００４ｂを指定し、そのコンテンツ２００４ｂをコンテンツ管理サーバ２０４０に登録する。
【０２８４】
他のコンテンツ提供者２００２も同様に、こうしたコンテンツ２００４の提供を行う。この例では、こうしたコンテンツ提供者２００２の数が、数十、数百、数千といった規模で想定される。
【０２８５】
次に、コンテンツ管理者２００５によるコンテンツ管理方法の例を、より具体的に説明する。コンテンツ管理者２００５は、コンテンツ提供者２００２から登録されたコンテンツ２００４のそれぞれや、これらに基づいて構成されるコンテンツ２００８をチェックし、必要に応じて編集を行う。また、コンテンツの視聴可能タイミング等、コンテンツ視聴に関する様々な設定を行うこともできる。
【０２８６】
ここで、コンテンツ管理者２００５は、上述した管理者コード２００３Ｘをコンテンツ管理端末２０５０で読み取り、コンテンツ管理端末２０５０のディスプレイに、コンテンツ管理画面を表示させる。
【０２８７】
コンテンツ管理者２００５は、コンテンツ管理画面から、コンテンツ２００８（複数のコンテンツ２００４）のチェックを行い、必要に応じて編集等の操作を行う。編集等の詳細については上述した通りである。
【０２８８】
また、コンテンツ管理者２００５は、この例では、管理者コード２００３Ｘを読み取ることでコンテンツ２００８のチェック・編集等が行えるようにしたが、別途、管理者パスワードの入力を要求するようにできる。例えば、メッセージセットＭＳ’’のなかに、管理者パスワードを記入したカードが別途同梱される。
【０２８９】
また、コンテンツ管理者２００５は、上述のように、コンテンツ提供者２００２として、コンテンツ２００４を登録できるようにしてもよく、コンテンツ管理端末２０５０は、コンテンツ提供端末２０２０としても機能する。この場合、コードピースＣＰの１つが、コンテンツ管理者・コンテンツ提供者兼用のコードピースＣＰとして構成され、コンテンツ管理者２００５は、このコードピースＣＰのコード２００３を読み取って、コンテンツ管理システム２００１にログインすることができる。また、ここで、上記のように、管理者パスワードの入力を要求するようにできる。
【０２９０】
コンテンツ管理者１００５は、コンテンツ提供者２００２から登録されたコンテンツ２００４を、図２３に示すように、場内スクリーン（例えば、イベント会場や結構式場のスクリーン）、ＷＥＢサイト、ＳＮＳ等に、コンテンツ管理者２００５のチェック・編集等を経て公開する。コンテンツ提供者２００２から登録されたコンテンツ２００４が、場内スクリーンに表示される場合、その場内スクリーンを視認できる者はだれでも、そのコンテンツ２００４を視聴することができる。
【０２９１】
次に、コンテンツ視聴者２００６によるコンテンツ視聴方法の例を、より具体的に説明する。ここでは、コンテンツ提供者２００２から登録されたコンテンツ２００４をＷＥＢやＳＮＳ等に公開する場合の視聴方法を説明する。コンテンツ視聴者２００６は、メッセージセットＭＳ’’に含まれた視聴コード２００７、コードピースＣＰの裏面に記載された視聴コード２００７、その他、公開された視聴コード２００７等をコンテンツ視聴端末２０３０で読み取り、コンテンツ視聴端末２０３０のディスプレイに、コンテンツ視聴画面を表示させる。ここで、コンテンツ視聴者２００６は、コンテンツ管理サーバ２０４０から送信されてくるコンテンツ２００８’を視聴することができる。コンテンツ視聴端末２０３０は、例えば、コンテンツ視聴者２００６が所有する、スマートフォン等のカメラ付き携帯機器である。
【０２９２】
なお、コンテンツ視聴者２００６は、ＷＥＢやＳＮＳを見る場合に、そのＵＲＬが公開されている場合等は、そのＵＲＬをコンテンツ視聴端末２０３０で実行されているＷＥＢブラウザ等に入力し、コンテンツ１００８’を視聴することもできる。
【０２９３】
コンテンツ２００８’は、コンテンツ提供者２００２（２００２ａ、２００２ｂ・・・）から提供されたコンテンツ２００４（２００４ａ、２００４ｂ・・・）に基づいて構成されるコンテンツであって、コンテンツ管理者２００５によってチェック・編集等がされたコンテンツである。例えば、登録されたコンテンツ２００４が、所定の様式で連結され、その後、コンテンツ管理者２００５によってチェック・編集等が施されたコンテンツとなっている。
【０２９４】
コンテンツ２００８’は、コンテンツ管理サーバ２０４０で事前に生成されていてもよいし、コンテンツ視聴者２００６が視聴する際に、コンテンツ管理者２００５による設定に基づいて適宜編集等されて配信されるように構成してもよい。
【０２９５】
このように、コンテンツ視聴者２００６は、コンテンツ提供者２００２がそれぞれ登録した電子的なコンテンツ２００８’を、視聴コード２００７等を用いて、容易に視聴することができる。
【０２９６】
また、コンテンツ管理者２００５は、コンテンツ視聴者２００６がコンテンツ２００８’を視聴する前にコンテンツ２００８をチェックし、編集等を行うことができるので、適切でないコンテンツや、権利上表示させないコンテンツなどを容易に修正・排除することができる。
【０２９７】
図２３に示した、本発明の第３実施形態に係るコンテンツ提供端末２０２０、コンテンツ視聴端末２０３０、コンテンツ管理サーバ２０４０はそれぞれ、第１実施形態のコンテンツ提供端末２０、コンテンツ視聴端末３０、コンテンツ管理サーバ４０と同様の構成の装置である。また、本発明の第３実施形態に係る各テーブルは、第１実施形態と同様の構成のテーブルである。さらに、本発明の第３実施形態に係るコンテンツ管理端末２０５０は、第２実施形態のコンテンツ管理端末１０５０と同様の構成の装置である。
【０２９８】
また、上述したコンテンツ管理処理は、本発明の第２実施形態のコンテンツ管理処理と同様である。また、本発明の第３実施形態のコンテンツ登録処理、コンテンツ視聴処理は、上述した、第２実施形態のコンテンツ登録処理、コンテンツ視聴処理とそれぞれ同様のものである。
【０２９９】
次に、本発明の第４実施形態に係るコンテンツ管理システムの概要を、図２４を参照して説明する。図２４に示すコンテンツ管理システム３００１は、コンテンツ管理サーバ３０４０を含み、コンテンツ提供者３００２の操作に応じて、コンテンツ提供端末３０２０からコンテンツ３００４（３００４ａ、３００４ｂ・・・）を受信し、これらのコンテンツ３００４に基づいて構成されるコンテンツ３００８が、コンテンツ提供者３００２の操作に応じて、コンテンツ提供端末３０２０で視聴される。ここでは、コンテンツ提供端末３０２０は、コンテンツ視聴端末としても機能する。
【０３００】
このようなシステムが利用される典型的なシーンは、例えば、日記や写真アルバムを作成するような場面である。この場合、コンテンツ提供者３００２は１人であり、コンテンツ視聴者は、基本的にコンテンツ提供者３００２であるが、他の数人の者もコンテンツ視聴者になりうる。
【０３０１】
上述したコンテンツ管理システム３００１の仕組みには、メッセージセットＭＳ’’’が関与する。例えば、メッセージセットＭＳ’’’には、図２４に示すように、複数（ここでは、６個）のコードピースＣＰ’を含んだコードシートが２枚（計、１２枚のコードピースＣＰ’）含まれ、さらに、これと関連付けられたメッセージボードＭＢ’’が含まれる。メッセージボードＭＢ’’は、例えば、日記や写真アルバム本体である。
【０３０２】
コードピースＣＰ’（ＣＰａ’、ＣＰｂ’・・・）は、図２４の例では、１枚のシート状の形態（コードシート）で提供される。各コードピースＣＰ’の表面には、個々のコードピースＣＰ’に対応するコード３００３（３００３ａ、３００３ｂ・・・）が表示されている。コード３００３は、図２３の例では、ＱＲコード（登録商標）のような２次元コードである。
【０３０３】
メッセージボードＭＢ’’は、コンテンツ提供者３００２が日記として日々の出来事を記録したり、写真アルバムとして写真を貼付したりするものである。例えば、メッセージボードＭＢ’’の最終ページにコード３００７が表示されており、これも、コード３００３と同様の２次元コードである。
【０３０４】
次に、コンテンツ提供者３００２によるコンテンツ提供方法の例を、より具体的に説明する。コードピースＣＰ’は、１２枚あって、それぞれ１月から１２月に対応している。年の最初に、コンテンツ提供者３００２は、１月に対応するコードピースＣＰａ’に表示されているコード３００３ａをコンテンツ提供端末３０２０で読み取り、コンテンツ提供端末３０２０のディスプレイに、コンテンツ登録画面を表示させる。ここで、コンテンツ提供者３００２は、登録対象の動画等のコンテンツ３００４ａを指定し、そのコンテンツ３００４ａをコンテンツ管理サーバ３０４０に登録する。ここで登録するコンテンツ３００４ａは、複数であってもよい。コンテンツ提供端末３０２０は、例えば、コンテンツ提供者３００２が所有する、スマートフォン等のカメラ付き携帯機器である。
【０３０５】
２月になると、コンテンツ提供者３００２は、２月に対応するコードピースＣＰｂ’に表示されているコード３００３ｂをコンテンツ提供端末３０２０で読み取り、コンテンツ提供端末３０２０のディスプレイに、コンテンツ登録画面を表示させる。ここで、コンテンツ提供者３００２は、登録対象の動画等のコンテンツ３００４ｂを指定し、そのコンテンツ３００４ｂをコンテンツ管理サーバ３０４０に登録する。
【０３０６】
以降同様に、１２月まで、対応するコードピースＣＰ’を読み取って、コンテンツ３００４をコンテンツ管理サーバ３０４０に登録する。
【０３０７】
次に、同じコンテンツ提供者３００２によるコンテンツ視聴方法の例を、より具体的に説明する。コンテンツ提供者３００２は、メッセージボードＭＢ’’に（例えば、日記や写真アルバムの最終ページに）表示されたコード３００７をコンテンツ提供端末３０２０で読み取り、コンテンツ提供端末３０２０のディスプレイに、コンテンツ視聴画面を表示させる。ここで、コンテンツ提供者３００２は、コンテンツ管理サーバ３０４０から送信されてくるコンテンツ３００８を視聴することができる。
【０３０８】
コンテンツ３００８は、コンテンツ管理サーバ３０４０で事前に生成されていてもよいし、コンテンツ提供者３００２が視聴する際に、適宜編集等されて配信されるように構成してもよい。
【０３０９】
このように、コンテンツ提供者３００２は、自身がそれぞれ登録した電子的なコンテンツ３００４を、コード３００７等を用いて、あとでまとめて容易に視聴することができる。
【０３１０】
なお、この例では、コードピースＣＰ’が１〜１２月に対応する１２枚で、コンテンツ提供者３００２が月に１枚、コードピースＣＰ’を用いてコンテンツ３００４を登録するようにしたが、コードピースＣＰ’の枚数やコンテンツの登録タイミング等は、様々な他の態様に設定可能である。
【０３１１】
また、メッセージセットＭＳ’’’は、この例では、コードピースＣＰ’とメッセージボードＭＢ’’を含むように構成したが、複数のコンテンツ登録用のコード３００３と、１つのコンテンツ視聴用のコード３００７を、１つ又は複数の媒体の、どの部分に表示・配置してもよい。
【０３１２】
なお、上述したメッセージセットＭＳ’’’のほかに、例えば、各月に応じたメッセージピースからなり、各メッセージピースが記入部とコード部を有するとともに、裏面がシールとなっており、これらのメッセージピースを、例えば、一般の手帳に貼付して日記として活用することもできる。記入部には、（例えば、カレンダーの様式で）各月に関するメモ等を記入することができ、コード部に印刷された２次元コードを読み取ることにより、コンテンツの登録が可能となる。
【０３１３】
例えば、このようなメッセージセットの場合、各月のカレンダー様式の記入部と２次元コードが印刷されたコード部を有したシール１２枚と、纏め用の２次元コードが印刷されたコード部を有したシール１枚の計１３枚のシールを１組として構成することも考えられる。
【０３１４】
図２４に示した、本発明の第４実施形態に係るコンテンツ提供端末３０２０、コンテンツ管理サーバ３０４０はそれぞれ、第１実施形態のコンテンツ提供端末２０、コンテンツ視聴端末３０（コンテンツ提供端末３０２０が、コンテンツ視聴端末として機能する場合）、コンテンツ管理サーバ４０と同様の構成の装置である。また、本発明の第４実施形態に係る各テーブルは、第１実施形態と同様の構成のテーブルである。
【０３１５】
また、本発明の第４実施形態のコンテンツ登録処理、コンテンツ視聴処理は、上述した、第２実施形態のコンテンツ登録処理、コンテンツ視聴処理とそれぞれ同様のものである。
【０３１６】
ここまで、本発明の第１実施形態に係るコンテンツ管理システム１、第２実施形態に係るコンテンツ管理システム１００１、第３実施形態に係るコンテンツ管理システム、及び第４実施形態に係るコンテンツ管理システムを参照して、本発明の特徴的な構成を説明してきたが、これらの実施形態は一例に過ぎない。上記以外の様々な構成によって、本発明のコンテンツ管理システムを実現することができる。
【符号の説明】
【０３１７】
１・・・コンテンツ管理システム
２・・・コンテンツ提供者
３・・・コード
４・・・コンテンツ
６・・・コンテンツ視聴者
７・・・コード
８・・・コンテンツ
２０・・・コンテンツ提供端末
３０・・・コンテンツ視聴端末
４０・・・コンテンツ管理サーバ
ＭＳ・・・メッセージセット
ＭＢ・・・メッセージボード
ＭＰ・・・メッセージピース
【図１】
2018147201.tif 000003
【図２】
2018147201.tif 000004
【図３】
2018147201.tif 000005
【図４】
2018147201.tif 000006
【図５】
2018147201.tif 000007
【図６】
2018147201.tif 000008
【図７】
2018147201.tif 000009
【図８】
2018147201.tif 000010
【図９】
2018147201.tif 000011
【図１０】
2018147201.tif 000012
【図１１】
2018147201.tif 000013
【図１２】
2018147201.tif 000014
【図１３】
2018147201.tif 000015
【図１４】
2018147201.tif 000016
【図１５】
2018147201.tif 000017
【図１６】
2018147201.tif 000018
【図１７】
2018147201.tif 000019
【図１８】
2018147201.tif 000020
【図１９】
2018147201.tif 000021
【図２０】
2018147201.tif 000022
【図２１】
2018147201.tif 000023
【図２２】
2018147201.tif 000024
【図２３】
2018147201.tif 000025
【図２４】
2018147201.tif 000026
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信手段と、を備え、
前記第２コードは、第２媒体から取得され、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御されることを特徴とする、コンテンツ管理システム。
【請求項２】
前記第１媒体のそれぞれは、対応する前記第１ユーザによるメッセージの付加を可能とする領域を備えることを特徴とする、請求項１に記載のコンテンツ管理システム。
【請求項３】
複数の前記第１媒体と１つの前記第２媒体は１組の媒体セットとして構成され、
複数の前記第１媒体の少なくとも一部は、前記第１媒体を利用するそれぞれの前記第１ユーザによってメッセージが付加された後、前記第２媒体に保持された形で、又は前記第２媒体とともに、前記第２ユーザに提供されることを特徴とする、請求項２に記載のコンテンツ管理システム。
【請求項４】
前記コンテンツ管理サーバは、
第３ユーザが利用する第３ユーザ端末に、前記ネットワークを介して接続され、
前記第３ユーザの指示に基づく前記第３ユーザ端末からの要求に応じて、前記第２コンテンツの編集、及び前記第２コンテンツの再生に関する設定の少なくともいずれかを行うように制御するコンテンツ管理手段を備えることを特徴とする、請求項１に記載のコンテンツ管理システム。
【請求項５】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理手段と、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第２コードは、前記複数の第１媒体を含む媒体セットに含まれる媒体から取得されることを特徴とする、コンテンツ管理システム。
【請求項６】
ユーザが利用するユーザ端末に、ネットワークを介して接続されるコンテンツ管理サーバを備えたコンテンツ管理システムであって、
前記コンテンツ管理サーバは、
前記ユーザの指示により、前記ユーザ端末から、第１コードに基づいて第１コンテンツが提供された場合に、前記第１コンテンツを記憶するコンテンツ記憶手段と、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信手段と、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられ、
前記第２コードは、前記媒体から取得されることを特徴とする、コンテンツ管理システム。
【請求項７】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信ステップと、を備え、
前記第２コードは、第２媒体から取得され、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御されることを特徴とする、コンテンツ管理方法。
【請求項８】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理ステップと、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第２コードは、前記複数の第１媒体を含む媒体セットに含まれる媒体から取得されることを特徴とする、コンテンツ管理方法。
【請求項９】
ユーザが利用するユーザ端末に、ネットワークを介して接続されるコンテンツ管理サーバで実行されるコンテンツ管理方法であって、
前記ユーザの指示により、前記ユーザ端末から、第１コードに基づいて第１コンテンツが提供された場合に、前記第１コンテンツをコンテンツ記憶手段に記憶するコンテンツ記憶ステップと、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信ステップと、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられ、
前記第２コードは、前記媒体から取得されることを特徴とする、コンテンツ管理方法。
【請求項１０】
複数の第１媒体と、１つの第２媒体とを含む媒体セットであって、
前記第１媒体と前記第２媒体はそれぞれ物理的形状を有し、
前記第１媒体はそれぞれ異なる、又は同じ第１コードに対応付けられ、前記第２媒体は、第２コードに対応付けられ、
前記第１媒体はそれぞれ、少なくとも一部が、前記第１媒体を利用するそれぞれの第１ユーザによってメッセージが付加された後、前記第２媒体に保持された形で、又は前記第２媒体とともに、第２ユーザに提供され、
前記第１コードはそれぞれ、前記第１ユーザの指示により、第１ユーザ端末から、第１コンテンツをコンピュータに提供するために用いられ、
前記第２コードは、前記第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【請求項１１】
少なくとも複数の第１媒体を含む媒体セットであって、
前記第１媒体はそれぞれ物理的形状を有し、
前記第１媒体はそれぞれ異なる、又は同じ第１コードに対応付けられ、
前記媒体セットに含まれるいずれかの媒体は、１つの第２コードに対応付けられ、
前記第１コードはそれぞれ、第１ユーザの指示により、第１ユーザ端末から、第１コンテンツをコンピュータに提供するために用いられ、
前記第２コードは、第２ユーザの指示により、第２ユーザ端末から、第２コンテンツの編集、及び前記第２コンテンツの再生に関する設定の少なくともいずれかを行うために用いられ、
前記第２コンテンツは、前記第１コードに基づいて前記コンピュータにそれぞれ提供された複数の前記第１コンテンツに基づいて構成されることを特徴とする、媒体セット。
【請求項１２】
少なくとも第１媒体を含む媒体セットであって、
前記第１媒体は物理的形状を有し、
前記第１媒体は、それぞれ異なる複数の第１コードに対応付けられ、
前記第１媒体、又は第２媒体は、１つの第２コードに対応付けられ、
前記第１コードはそれぞれ、ユーザの指示により、ユーザ端末から、第１コンテンツをコンピュータに提供するために用いられ、
前記第２コードは、第２ユーザの指示により、第２ユーザ端末から、第２コンテンツを再生するために用いられ、
前記第２コンテンツは、前記第１コードに基づいて前記コンピュータにそれぞれ提供された複数の前記第１コンテンツに基づいて構成されることを特徴とする、媒体セット。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信手段と、を備え、
前記第２コードは、第２媒体から取得され、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御されることを特徴とする、コンテンツ管理システム。
【請求項２】
前記第１媒体のそれぞれは、対応する前記第１ユーザによるメッセージの付加を可能とする領域を備えることを特徴とする、請求項１に記載のコンテンツ管理システム。
【請求項３】
複数の前記第１媒体と１つの前記第２媒体は１組の媒体セットとして構成され、
複数の前記第１媒体の少なくとも一部は、前記第１媒体を利用するそれぞれの前記第１ユーザによってメッセージが付加された後、前記第２媒体に保持された形で、又は前記第２媒体とともに、前記第２ユーザに提供されることを特徴とする、請求項２に記載のコンテンツ管理システム。
【請求項４】
前記コンテンツ管理サーバは、
第３ユーザが利用する第３ユーザ端末に、前記ネットワークを介して接続され、
前記第３ユーザの指示に基づく前記第３ユーザ端末からの要求に応じて、前記第２コンテンツの編集、及び前記第２コンテンツの再生に関する設定の少なくともいずれかを行うように制御するコンテンツ管理手段を備えることを特徴とする、請求項１に記載のコンテンツ管理システム。
【請求項５】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理手段と、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第２コードは、前記複数の第１媒体を含む媒体セットに含まれる媒体から取得されることを特徴とする、コンテンツ管理システム。
【請求項６】
ユーザが利用するユーザ端末に、ネットワークを介して接続されるコンテンツ管理サーバを備えたコンテンツ管理システムであって、
前記コンテンツ管理サーバは、
前記ユーザの指示により、前記ユーザ端末から、第１コードに基づいて第１コンテンツが提供された場合に、前記第１コンテンツを記憶するコンテンツ記憶手段と、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信手段と、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられ、
前記第２コードは、前記媒体から取得されることを特徴とする、コンテンツ管理システム。
【請求項７】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信ステップと、を備え、
前記第２コードは、第２媒体から取得され、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御されることを特徴とする、コンテンツ管理方法。
【請求項８】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理ステップと、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第２コードは、前記複数の第１媒体を含む媒体セットに含まれる媒体から取得されることを特徴とする、コンテンツ管理方法。
【請求項９】
ユーザが利用するユーザ端末に、ネットワークを介して接続されるコンテンツ管理サーバで実行されるコンテンツ管理方法であって、
前記ユーザの指示により、前記ユーザ端末から、第１コードに基づいて第１コンテンツが提供された場合に、前記第１コンテンツをコンテンツ記憶手段に記憶するコンテンツ記憶ステップと、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信ステップと、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられ、
前記第２コードは、前記媒体から取得されることを特徴とする、コンテンツ管理方法。
【請求項１０】
請求項１に記載のコンテンツ管理システムにおいて用いられる前記第１媒体と前記第２媒体を含む媒体セット。
【請求項１１】
請求項５に記載のコンテンツ管理システムにおいて用いられる前記第１媒体を含む媒体セット。
【請求項１２】
請求項６に記載のコンテンツ管理システムにおいて用いられる１つ、又は１組の前記媒体を含む媒体。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信手段と、を備え、
前記第２コードは、第２媒体から取得され、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御されることを特徴とする、コンテンツ管理システム。
【請求項２】
前記第１媒体のそれぞれは、対応する前記第１ユーザによるメッセージの付加を可能とする領域を備えることを特徴とする、請求項１に記載のコンテンツ管理システム。
【請求項３】
複数の前記第１媒体と１つの前記第２媒体は１組の媒体セットとして構成され、
複数の前記第１媒体の少なくとも一部は、前記第１媒体を利用するそれぞれの前記第１ユーザによってメッセージが付加された後、前記第２媒体に保持された形で、又は前記第２媒体とともに、前記第２ユーザに提供されることを特徴とする、請求項２に記載のコンテンツ管理システム。
【請求項４】
前記コンテンツ管理サーバは、
第３ユーザが利用する第３ユーザ端末に、前記ネットワークを介して接続され、
前記第３ユーザの指示に基づく前記第３ユーザ端末からの要求に応じて、前記第２コンテンツの編集、及び前記第２コンテンツの再生に関する設定の少なくともいずれかを行うように制御するコンテンツ管理手段を備えることを特徴とする、請求項１に記載のコンテンツ管理システム。
【請求項５】
第１ユーザが利用する第１ユーザ端末と第２ユーザが利用する第２ユーザ端末に、ネットワークを介して接続されるコンテンツ管理サーバを備えたコンテンツ管理システムであって、
前記コンテンツ管理サーバは、
前記第１ユーザの指示により、前記第１ユーザ端末から、複数の第１媒体の１つに対応付けられた第１コードに基づいて第１コンテンツが提供された場合に、前記第１コンテンツを記憶するコンテンツ記憶手段と、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理手段と、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第２コードは、前記複数の第１媒体を含む媒体セットに含まれる媒体から取得されることを特徴とする、コンテンツ管理システム。
【請求項６】
ユーザが利用するユーザ端末に、ネットワークを介して接続されるコンテンツ管理サーバを備えたコンテンツ管理システムであって、
前記コンテンツ管理サーバは、
前記ユーザの指示により、前記ユーザ端末から、第１コードに基づいて第１コンテンツが提供された場合に、前記第１コンテンツを記憶するコンテンツ記憶手段と、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信手段と、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられ、
前記第２コードは、前記媒体から取得されることを特徴とする、コンテンツ管理システム。
【請求項７】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいて視聴要求がされた場合に、前記第２コードに対応付けられた第２コンテンツを、再生のために前記第２ユーザ端末に送信するコンテンツ送信ステップと、を備え、
前記第２コードは、第２媒体から取得され、
１つの前記第２媒体に対して複数の前記第１媒体が関連付けられており、
前記第２媒体と前記第１媒体の関連付けに応じて、１つの前記第２コードと前記第１コードが関連付けられるとともに、前記第１コードに基づいてそれぞれ提供された複数の前記第１コンテンツに基づいて、前記第２コードに対応付けられた前記第２コンテンツが構成されるように制御されることを特徴とする、コンテンツ管理方法。
【請求項８】
第１ユーザが利用する第１ユーザ端末と第２ユーザが利用する第２ユーザ端末に、ネットワークを介して接続されるコンテンツ管理サーバで実行されるコンテンツ管理方法であって、
前記第１ユーザの指示により、前記第１ユーザ端末から、複数の第１媒体の１つに対応付けられた第１コードに基づいて第１コンテンツが提供された場合に、前記第１コンテンツをコンテンツ記憶手段に記憶するコンテンツ記憶ステップと、
前記第２ユーザの指示により、前記第２ユーザ端末から、第２コードに基づいてアクセスがされた場合に、前記第２ユーザ端末からの要求に応じて、前記第２コードに対応付けられた第２コンテンツの編集、及び前記第２コンテンツの再生に関する設定の少なくともいずれかを行うように制御するコンテンツ管理ステップと、を備え、
１つの前記第２コードと前記第１コードが関連付けられるとともに、前記第１コードに基づいて提供された複数の前記第１コンテンツに基づいて、前記第２コードに対応付けられた前記第２コンテンツが構成されるように制御され、
前記第２コードは、前記複数の第１媒体を含む媒体セットに含まれる媒体から取得されることを特徴とする、コンテンツ管理方法。
【請求項９】
ユーザが利用するユーザ端末に、ネットワークを介して接続されるコンテンツ管理サーバで実行されるコンテンツ管理方法であって、
前記ユーザの指示により、前記ユーザ端末から、第１コードに基づいて第１コンテンツが提供された場合に、前記第１コンテンツをコンテンツ記憶手段に記憶するコンテンツ記憶ステップと、
前記ユーザの指示により、前記ユーザ端末から、第２コードに基づいてアクセスがされた場合に、前記ユーザ端末からの要求に応じて、前記第２コードに対応付けられた第２コンテンツを、再生のために前記ユーザ端末に送信するコンテンツ送信ステップと、を備え、
１つの前記第２コードと複数の前記第１コードが関連付けられるとともに、前記第１コードに基づいて提供された複数の前記第１コンテンツに基づいて、前記第２コードに対応付けられた前記第２コンテンツが構成されるように制御され、
前記第１コードのそれぞれと前記第２コードは、１つ、又は１組の媒体に対応付けられ、
前記第２コードは、前記媒体から取得されることを特徴とする、コンテンツ管理方法。